(57)【特許請求の範囲】
【請求項１】
通信の相手先から送信されてくる前記相手先の使用者の状態を示す情報として、前記相手先の使用者の脈拍に応じた情報を受信する受信手段と、
前記受信手段を通じて受信した前記相手先の使用者の脈拍に応じた情報に応じた振動数の振動を発生させる振動素子である、通知手段と、
前記受信手段を通じて受信した前記相手先の状態を示す情報に基づいて、前記通知手段を制御する制御手段と、
当該通信機器の使用者の脈拍を検出する生体情報検出手段と、
前記通知手段を通じて前記相手先の状態を示す情報に応じた状態を通知した場合に、前記生体情報検出手段により検出された脈拍に応じた情報を、当該通知をしたことを示す情報として前記通信の相手先に送信する送信手段と、
を備える通信機器。
【請求項２】
当該第1の通信機器の使用者の状態を示す情報として、前記第1の通信機器の使用者の脈拍に応じた情報を検出する検出手段と、
前記検出手段を通じて検出した前記第1の通信機器の使用者の状態を示す情報を、第２１の通信機器に送信する送信手段と、
を備えた第１の通信機器と、
前記第１の通信機器から送信されてくる前記第1の通信機器の使用者の状態を示す情報を受信する受信手段と、
前記受信手段を通じて受信した前記第1の通信機器の使用者の脈拍に応じた情報に応じた振動数の振動を発生させる振動素子である、通知手段と、
前記受信手段を通じて受信した前記第1の通信機器の使用者の状態を示す情報に基づいて、前記通知手段を制御する制御手段と、
当該第２の通信機器の使用者の脈拍を検出する生体情報検出手段と、
前記通知手段を通じて前記第1の通信機器の使用者の状態を示す情報に応じた状態を通知した場合に、前記生体情報検出手段により検出された脈拍に応じた情報を、当該通知をしたことを示す情報として前記第１の通信機器に送信する送信手段と、
を備えた第２の通信機器と
からなる通信システム。
【発明の詳細な説明】
【技術分野】
【０００１】
この発明は、例えば、携帯電話端末などの通信機能を備えた携帯型の通信端末や据え置き型の電話機、あるいは、通信機能を備えたパーソナルコンピュータなどの種々の通信機器、通信機器が用いられて構成される通信システムに関する。
【背景技術】
【０００２】
特許文献１には、電話やチャットなどにおいて、音声や文字では伝え切れないユーザーの感情などを適切に伝えることができるようにするために、音声情報、画像情報、生体情報といった情報を通信し、それらの情報に基づいて、操作者の心理状態や生理状態を推定し、その推定量を出力する発明が提案されている。
【０００３】
また、特許文献２には、使用者の感情や状態を、その強度と共に特定することができるようにするために、入力される言語的情報から感情に関する言語情報を感情情報として抽出すると共に、これに体動情報や生理情報をも関係付けた感情特徴情報を生成していくことで使用者の感情を学習することができるようにする発明が開示されている。
【０００４】
なお、上述した特許文献１は、以下に示す通りである。
【特許文献１】特開２００２−０３４９３６号公報
【特許文献２】特開２００７−２８７１７７号公報
【発明の開示】
【発明が解決しようとする課題】
【０００５】
ところで、特許文献１に記載の技術の場合には、操作者の心理状態や生理状態を推定するものであり、正確性に欠ける場合もあると考えられる。また、特許文献２に記載の技術の場合には、処理内容が複雑になるために、使用者の感情を把握するまでに時間がかかり、通常の電話通信や電子メール通信時において用いるには適さない場合もあると考えられる。
【０００６】
以上のことに鑑み、この発明は、何らかの通信処理を行う場合に、できるだけ簡便に、しかも正確に、通信の相手先の状態を知ることができるようにすることを目的とする。
【課題を解決するための手段】
【０００７】
上記課題を解決するため、請求項１に記載の発明の通信機器は、
通信の相手先から送信されてくる前記相手先の状態を示す情報として、前記相手先の生体情報に応じた情報、あるいは、前記相手先の変化をつけられる操作入力に応じた情報を受信する受信手段と、
前記受信手段を通じて受信した前記相手先の状態を示す情報に応じた状態を通知するための通知手段と、
前記受信手段を通じて受信した前記相手先の状態を示す情報に基づいて、前記通知手段を制御する制御手段と
を備える。
【０００８】
請求項１に記載の発明の通信機器によれば、通信の相手先から送信されてくる相手先の状態を示す情報が受信手段により受信される。この受信された相手先の状態を示す情報に基づいて、制御手段により通知手段が制御される。そして、通知手段を通じて、受信した相手先の状態を示す情報に応じて状態（相手先の状態）が通知される。
【０００９】
これにより、当該通信機器では、複雑な処理を行うことなく、通信の相手先から送信されてくる通信の相手先の状態を示す情報のみに基づいて、相手先の状態を適切に通知することができるようにされる。
【００１０】
また、請求項２に記載の発明の通信機器は、請求項１に記載の通信機器であって、
前記通知手段を通じて前記相手先の状態を示す情報に応じた状態を通知した場合に、当該通知をしたことを示す情報を、前記通信の相手先に送信する送信手段を備えたものである。
【００１１】
この請求項２に記載の発明の通信機器によれば、通知手段を通じて通知を行った場合には、当該通知を行ったこと、すなわち通信の相手先の状態を示す情報を用いた通知を行ったことを示す情報が、送信手段を通じて当該通信の相手先に送信するようにされる。
【００１２】
これにより、自己の状態を示す情報を送信するようにした通信の相手先に対して、当該相手先の状態を示す情報を受信し、これに応じた通知を行ったことを明確に通知することができるようにされる。これにより、自己の状態を示す情報を送信するようにした通信の相手先が、再度、自己の状態を示す情報を送信するなどのことをしなくてもよいようにされる。
【００１３】
また、請求項７に記載の発明の通信機器は、
目的とするサーバ装置にアクセスし、目的とする情報と、当該目的とする情報に付加するようにされている相手先の状態を示す情報として、前記相手先の生体情報に応じた情報、あるいは、前記相手先の変化をつけられる操作入力に応じた情報をダウンロードするダウンロード手段と、
前記ダウンロード手段を通じてダウンロードした前記相手先の状態を示す情報に応じた情報を通知するための通知手段と、
前記ダウンロード手段を通じてダウンロードした前記相手先の状態を示す情報に基づいて、前記通知手段を制御する制御手段と
を備える。
【００１４】
この請求項７に記載の発明の通信機器によれば、通信の相手先から送信され、所定のサーバ装置に蓄積するようにされている目的とする情報と、相手先の状態を示す情報とがダウンロード手段によりダウンロードされる。このダウンロードされた相手先の状態を示す情報に基づいて、制御手段により通知手段が制御される。そして、通知手段を通じて、受信した相手先の状態を示す情報に応じて状態（相手先の状態）が通知される。
【００１５】
これにより、当該通信機器では、複雑な処理を行うことなく、目的とする相手先からの目的とする情報と当該相手先の状態を示す情報とを所定のサーバ装置からダウンロードすることにより得て、当該相手先の状態を示す情報のみに基づいて、相手先の状態を適切に通知することができるようにされる。
【００１６】
請求項８に記載の発明の通信機器は、請求項７に記載の通信機器であって、
前記通知手段を通じて前記相手先の状態を示す情報に応じた状態を通知した場合に、当該通知をしたことを示す情報を、前記相手先のサーバ装置にアップロードするアップロード手段を備えたものである。
【００１７】
この請求項８に記載の発明の通信機器によれば、通知手段を通じて通知を行った場合には、当該通知を行ったこと、すなわち通信の相手先の状態を示す情報を用いた通知を行ったことを示す情報が、アップロード手段を通じて、相手先のサーバ装置にアップロードすることができるようにされる。
【００１８】
これにより、自己の状態を示す情報を送信するようにした通信の相手先に対して、当該相手先の状態を示す情報を取得し、これに応じた通知を行ったことを相手先のサーバ装置にアップロードすることができるようにされる。これにより、当該相手先の通信機器が、アップロードされた情報をダウンロードすることにより、相手先の状態を示す情報を取得し、これに応じた通知を行ったことを明確に把握することができるようにされる。したがって、自己の状態を示す情報を送信するようにした通信の相手先が、再度、自己の状態を示す情報を送信するなどのことをしなくてもよいようにされる。
【発明の効果】
【００１９】
複雑な処理を行ったり、大量の情報を送信したりすること無く、通信の相手先の状態を、簡便に、かつ、正確に知ることができる。
【発明を実施するための最良の形態】
【００２０】
以下、図を参照しながら、この発明による装置、システムの一実施の形態について説明する。
【００２１】
［第１の実施の形態］
［通信システムの構成例について］
図１は、この発明によるシステムの一実施の形態が適用された、第１の実施の形態の通信システムの構成例を説明するための図である。図１に示すように、この第１の実施の形態の通信システムは、送り手側の携帯電話端末１と、受け手側の携帯電話端末２とにより構成されるものである。
【００２２】
なお、以下に説明する実施の形態においては、説明を簡単にするため、送り手側の携帯電話端末１が、発信元（発呼元）であり、受け手が側の携帯電話端末２が、着信先（着呼先）であるものとして説明する。
【００２３】
図１に示すように、携帯電話端末１、２には、携帯電話端末１、２を使用者が使用するために持った場合に、使用者の指などの使用者の身体の一部が接触する部分に脈拍センサ１５１が設けられていると共に、筐体内部には着信を通知するなどのために、バイブレータ（振動体）が設けられているものである。
【００２４】
この第１の実施の形態において、携帯電話端末１は、携帯電話端末２に対して電話をかけるようにする操作入力（電話番号入力や電話帳データからのデータの選択入力、及び発呼操作（オフフック操作））を受け付けると、目的とする通信の相手先である携帯電話端末２に対して着信要求を生成して送信する。当該着信要求を受信した携帯電話端末２では、リンガやバイブレータを駆動して、自機に着信があることを使用者に通知する。
【００２５】
そして、携帯電話端末２の使用者が携帯電話端末２に対して応答操作（オフフック操作）を行うと、携帯電話端末２は着信応答を形成して発信元の携帯電話端末１に送信する。これにより、携帯電話端末１と携帯電話端末２との間に電話回線が接続されて、通話を行うことができるようにされる。
【００２６】
この場合に、携帯電話端末１においては、上述もしたように、携帯電話端末１の所定の位置に設けられている脈拍センサ１５１を通じて、使用者の脈拍を検出する。検出された脈拍は、数値情報として携帯電話端末２に送信される。具体的には、１分間に５５回（５５ｂｐｍ（beats per minute））のように、単位時間当たりの脈拍数が検出され、これが脈拍データ（脈拍数を示す情報）として、接続された電話回線を通じて着信先の携帯電話端末２に送信される。
【００２７】
携帯電話端末２においては、携帯電話端末１からの脈拍データを受信し、この受信した脈拍データに基づいて、バイブレータ１４３を駆動させる。具体的には、携帯電話端末２は、受信した脈拍データに応じて、単位時間当たりにおいて（この例の場合には、例えば、１分間当たりにおいて）、受信した脈拍データが示す回数と同じ回数分、バイブレータを駆動させる。
【００２８】
脈拍数は、気分が高揚したり、興奮したりしている場合には、早くなり、冷静な場合にはある程度の値、例えば、１分間に６０回程度の値に安定するものである。このため、通信の相手先の脈拍数に応じてバイブレータを振動させることにより、通信の相手先のユーザーの脈拍に応じた振動を感じることができる。これにより、当該通信の相手先のユーザー（携帯電話端末１の使用者）の気分や状態を推し量ることができるようにされる。
【００２９】
そして、この実施の形態の携帯電話端末２は、バイブレータ１４３を振動させて、通信の相手先である携帯電話端末１の使用者の状態を通知するようにした後においては、当該通知を行ったことを、携帯電話端末１に対して通知するようにしている。
【００３０】
このように、以下に説明する実施の形態においては、送り手側の携帯電話端末１は、使用者の脈拍を検出して、これを通話時に相手先に送信する機能を有するものである。一方、受け手側の携帯電話端末２は、送り手側の携帯電話端末１からの脈拍データの提供を受けて、これに応じてバイブレータ１４３を振動させることにより、送り手側の携帯電話端末１の使用者の状態を、受け手側の携帯電話端末２の使用者に通知する機能を有するものである。
【００３１】
また、受け手側の携帯電話端末２は、送り手側の携帯電話端末１に対して、脈拍データを用いた場合に、これを通知する機能を有するものである。また、送り手側の携帯電話端末１は、受け手側の携帯電話端末２からの通知を携帯電話端末１の使用者に通知する機能を有するものである。
【００３２】
［携帯電話端末１、２の構成例について］
次に、この発明による通信機器の一実施の形態が適用された、この第１の実施の形態の携帯電話端末１、２の構成例について説明する。図２は、この第１の実施の形態の携帯電話端末１、２の構成例を説明するためのブロック図である。すなわち、この第１の実施の形態の通信システムにおいては、送り手側の携帯電話端末１と受け手側の携帯電話端末２とは同じ構成を有するものである。しかし、以下においては、説明を簡単にするため、主に携帯電話端末１の構成として説明することとする。
【００３３】
図２に示すように、この第１の実施の形態の携帯電話端末１は、送受信アンテナ１０１、アンテナ共用器１０２、受信部１０３、ベースバンド処理部１０４、コーデック１０５、受話器（スピーカ）１０６、送話器（マイクロホン）１０７、送信部１０８、局発部１０９、制御部１２０、キーインターフェース（以下、キーＩ／Ｆと略称する。）１３１、キー操作部１３２、ＬＣＤ（Liquid Crystal Display）１４１、リンガ１４２、バイブレータ１４３、脈拍センサ１５１を備えたものである。
【００３４】
まず、制御部１２０と、これに接続されるキーＩ／Ｆ１３１、キー操作部１３２、ＬＣＤ（Liquid Crystal Display）１４１、リンガ１４２、バイブレータ１４３、脈拍センサ１５１について説明する。
【００３５】
制御部１２０は、この実施の形態の携帯電話端末１の各部を制御するものであり、ＣＰＵ１２１、ＲＯＭ１２２、ＲＡＭ１２３、ＥＥＰＲＯＭ１２４が、ＣＰＵバス１２５を通じて形成されたマイクロコンピュータである。
【００３６】
ここで、ＣＰＵ１２１は、制御の主体となるものであり、後述するＲＯＭ１２２などに記憶保持されているプログラムを実行し、各部に供給する制御信号を形成して、これを各部に供給したり、各部からの信号を受け付けて、これを処理したりする。ＲＯＭ１２２は、上述もしたように、ＣＰＵ１２１によって実行される種々のプログラムやフォントデータなどの処理に必要になる各種のデータを記憶保持しているものである。
【００３７】
ＲＡＭ１２３は、各種の処理において途中結果を一時記憶するなど、主に作業領域として用いられるものである。ＥＥＰＲＯＭ１２４は、いわゆる不揮発性メモリであり、この携帯電話端末１の電源が落とされても保持しておくべき情報、例えば、各種の設定パラメータ、電話帳データ、電子メールデータ、新たに提供されたプログラムなどを記憶保持するものである。
【００３８】
このような制御部１２０に対しては、図１に示すように、キーＩ／Ｆ１３１を通じてキー操作部１３２が接続されている。キー操作部１３２は、図示しないが、テンキーや各種のファクションキー、回動操作と押下操作とが可能なジョグダイヤルキーなどの複数の操作キーが設けられたものであり、ユーザーからの操作入力を受け付けるものである。
【００３９】
そして、キー操作部１３２を通じて受け付けた使用者からの操作入力は、電気信号に変換されて制御部１２０に供給される。これにより、制御部１２０は、ユーザーからの指示に応じて各部を制御し、ユーザーの指示に応じた処理を行うことができるようにしている。
【００４０】
また、制御部１２０に対しては、種々の表示情報を表示するためのＬＣＤ１４１と、リンガ１４２と、バイブレータ１４３とが接続されている。ＬＣＤ１４１はＬＣＤコントローラを含むものであり、制御部１２０からの制御信号に応じて、種々の表示情報をＬＣＤ１４１の表示画面に表示させることができるものである。
【００４１】
また、リンガ１４２はリンガコントローラを備え、制御部１２０からの制御信号に応じて、警告音や着信音を放音することができるものである。また、バイブレータ１４３はバイブレータコントローラを備え、制御部１２０からの制御信号に応じて、着信を振動により通知したり、上述もしたように、通信の相手先からの脈拍を示す情報に応じて振動させたりするなどのことができるようにしている。
【００４２】
さらに、制御部１２０に対しては、脈拍センサ１５１が接続されている。脈拍センサ１５１は、使用者の指などの体の一部分を接触させることにより、使用者の血液の流れから単位時間当たりの脈拍を検出し、これを制御部１２０に通知するものである。また、脈拍センサ１５１は、使用者の指などが接触された状態にあり、脈拍の検出が可能な状態にあるときには、脈拍の検出を継続して行い、最新の脈拍数を検出して制御部１２０に通知することができるものである。
【００４３】
次に、この実施の形態の携帯電話端末１の受信系について説明する。送受信アンテナ１０１を通じて受信した受信信号は、アンテナ共用器１０２を通じて受信部１０３に供給される。受信部１０３は、受信信号が適正なレベルになるように、必要な帯域制限、ＡＧＣ（Automatic Gain Control）を行なうとともに、局発部（周波数シンセサイザ）１０９からの信号に基づいて、受信信号の周波数を一定の周波数にするなどの処理を行って、処理後の信号をベースバンド処理部１０４に供給する。
【００４４】
ベースバンド処理部１０４は、受信部１０３からの信号をＡ／Ｄ変換し、フェージングなどの影響除去や、受信した信号の種別判別、デ・インターリーブ、エラー訂正を行ない、適切な復号処理を行って、音声データとその他の通信データとを分離する。そして、音声データは、ＤＳＰ（Digital Signal Processor）の構成とされたコーデック１０５に供給され、その他の通信データである、例えば、各種の制御情報や文字データなどは、制御部１２０に供給される。
【００４５】
コーデック１０５は、ベースバンド処理部１０４からの音声データをＤ／Ａ変換してアナログ音声信号を形成し、これをスピーカ１０６に供給する。スピーカ１０６は、コーデック１０５からのアナログ音声信号により駆動され、受信信号に応じた音声を放音する。
【００４６】
一方、ベースバンド処理部１０４から制御部１２０に供給された通信データは、この実施の形態の携帯電話端末１用の制御データや文字データ、あるいは、通信の相手先から送信されてくる脈拍データ（脈拍を示す情報）などの場合には、制御部１２０のＲＡＭ１２３に一時記憶されて、この携帯電話端末１において使用される。また、それ以外の通信データは、例えば、図示しない外部Ｉ／Ｆ（外部インターフェース）を通じて、この携帯電話端末１に接続されたパーソナルコンピュータなどの外部の電子機器(外部装置)に供給することもできるようにされる。
【００４７】
次に、この実施の形態の携帯電話端末１の送信系について説明する。マイクロホン１０７は、収音した音声をアナログ音声信号に変換し、これをコーデック１０５に供給する。コーデック１０５は、マイクロホン１０７からのアナログ音声信号をＡ／Ｄ変換して、デジタル音声信号を形成し、これをベースバンド処理部１０４に供給する。
【００４８】
ベースバンド処理部１０４は、コーデック１０５からのデジタル音声信号を所定の符号化方式で符号化して圧縮し、所定のブロックにまとめる。またベースバンド処理部１０４は、制御部１２０を通じて供給される外部Ｉ／Ｆ部１５０を通じて受け付けた外部装置からの送信用のデジタルデータやキー操作部１３２を通じて受け付けた送信用のデジタルデータ、あるいは、制御部１２０からの脈拍データ等についても所定のブロックにまとめることができるものである。ベースバンド処理部１０４は、圧縮されたデジタル音声信号や外部装置等からの送信用のデジタルデータをまとめ、送信部１０８に供給する。
【００４９】
送信部１０８は、ベースバンド処理部１０４からのデジタルデータから変調信号を形成し、この変調信号を所定の送信周波数に変換するために、変調信号と、局発部１０９からの変換用の信号とを混合して、送信用変調信号を形成する。この送信部１０８において形成された送信用変調信号は、アンテナ共用器１０２を経由して、送受信アンテナ１０１から送信される。
【００５０】
このような受信系および送信系を備えたこの実施の形態の携帯電話端末１においては、待ち受け受信時（待ち受け時）においては、制御部１２０は、ベースバンド処理部１０４からの受信信号を監視することにより、自機への着信を検出する。そして、制御部１２０は、自機への着信を検出した場合には、リンガ１４２を制御して、呼び出し音（リンガ音）を放音したり、バイブレータ１４３を振動させたりすることにより、自機への着信を当該携帯電話端末１の使用者に通知する。
【００５１】
そして、携帯電話端末１の使用者が、この実施の形態の携帯電話端末１に設けられているテンキーや各種のファンクションキーなどを有するキー操作部１３２に設けられている通話開始キーを押下するなどのオフフック操作を行なうことにより、着信に応答した場合には、制御部１２０は、送信系を通じて、接続応答を送出するなどして通信回線を接続し、前述したように、受信系、送信系の動作によって通話が可能となる。
【００５２】
また、この実施の形態の携帯電話端末１から発信（発呼）する場合には、例えば、キー操作部１３２のダイヤルキーを通じて電話番号を入力し、あるいは、予め登録された電話帳データから相手先の電話番号を選択することにより、目的とする相手先を特定するようにし、前述のキー操作部１３２の通話開始キーを押下するなどのオフフック操作を行うことによって、ダイヤル動作（発呼処理）を行なうようにすることができる。
【００５３】
これにより、制御部１２０は、発呼要求を形成し、送信系を通じて送信することにより、目的とする相手先の電話端末との間に通信回線を接続するようにする。そして、相手先からの着信応答が返信されてきて、通信回線の接続を確認すると、前述したように、受信系、送信系の動作によって通話が可能となる。
【００５４】
また、この実施の形態の携帯電話端末は、インターネットに接続が可能なものであり、例えば、電話会社が提供するプロバイダ機能を通じて、ＵＲＬ（Ｕｎｉｆｏｒｍ  Ｒｅｓｏｕｒｃｅ  Ｌｏｃａｔｏｒｓ）を入力して送信することにより、Ｗｅｂページなどの情報を得て、この情報を、制御部１２０を通じてＬＣＤ１４１に表示したりすることもできるようにしている。
【００５５】
また、この実施の形態の携帯電話端末１は、キー操作部１３２、ＬＣＤ１４１を通じて情報を入力して、送信用の電子メールデータをＥＥＰＲＯＭ１２４に作成し、これをインターネットを通じて目的とする相手先のメールサーバに送信したり、また、自機宛の電子メールをメールサーバから受信してＥＥＰＲＯＭ１２４に格納し、これをＬＣＤ１４１に表示して利用したりするなどのこともできるものである。
【００５６】
このように、この実施の形態の携帯電話端末１は、携帯電話ネットワークやインターネットなどの広域ネットワークを通じて、電話通信やデータ通信を行うことができるものである。
【００５７】
そして、この実施の形態の通信システムにおいては、少なくとも送り手側（発呼側）の携帯電話端末１から、検出するようにした脈拍を示す情報を受け手側（着呼側）の携帯電話端末２に送信することができるようにされる。そして、受け手側の携帯電話端末２においては、携帯電話端末１からの脈拍を示す情報に基づいて、バイブレータ１４３を駆動させ、携帯電話端末１の使用者の状態を携帯電話端末２の使用者に通知することができるようにしている。
【００５８】
さらに、この実施の形態の通信システムにおいては、携帯電話端末２において、携帯電話端末１からの脈拍を示す情報に基づいて、バイブレータ１４３を駆動させることにより、携帯電話端末１の使用者の状態を通知するようにした場合には、当該脈拍を示す情報を受信して用いたことを通知する情報を形成し、これを携帯電話端末１に対して返信することもできるようにしている。また、携帯電話端末２も携帯電話端末１と同様の構成を有し、脈拍センサ１５１を備えているので、受け手側の携帯電話端末２においても、使用者の脈拍を検出し、これを送り手側の携帯電話端末１に送信することもできるようにしている。
【００５９】
［通信システムの動作について］
次に、この第１の実施の形態の通信システムの動作について説明する。図３〜図５は、この第１の実施の形態の通信システムの動作の概要を説明するためのシーケンス図である。上述もしたように、送り手側の携帯電話端末１が発信元であり、受け手側の携帯電話端末２が着信元である。
【００６０】
そして、図３に示すように、送り手側の携帯電話端末１の使用者が電話をかけるために、携帯電話端末１を手に取り、脈拍センサ１５１に指などを接触させると、携帯電話端末１の脈拍センサ１５１は、使用者の脈拍を計測する処理を開始する（ステップＳ１）。そして、携帯電話端末１の制御部１２０は、キー操作部１３２を通じて使用者からのダイヤル入力や電話帳データからの相手先の選択入力などを受け付けて、目的とする通信の相手先（この例においては携帯電話端末２）に対する着信要求を形成し、ベースバンド処理部１０４、送信部１０８、アンテナ共用器１０２、送受信アンテナ１０１を通じて携帯電話端末２に対して送信する（ステップＳ２）。
【００６１】
受け手側の携帯電話端末２の制御部１２０は、送受信アンテナ１０１、アンテナ共用器１０２、受信部１０３、ベースバンド処理部１０４を通じて携帯電話端末１からの着信要求を受信すると、自機のリンガ１４２やバイブレータ１４３を駆動して、着信音や振動により着信があることを携帯電話端末２の使用者に通知する。そして、携帯電話端末２の制御部１２０は、着信に応答するためのオフフック操作を受け付けると、着信応答を形成し、これを発信元の携帯電話端末１に対して送信する（ステップＳ３）。
【００６２】
これにより、携帯電話端末１と携帯電話端末２との間に通信回線が接続され、通話ができるようにされる（ステップＳ４）。すなわち、上述もしたように、双方の携帯電話端末の送受信アンテナ１０１、アンテナ共用器１０２、受信部１０３、ベースバンド処理部１０４、コーデック１０５、受話器１０６、送話器１０７、送信部１０８を通じて、携帯電話端末１と携帯電話端末２との間において、通話を行うことができるようにされる。
【００６３】
このようにして、通話を行うことができるようにされた後に、送り手側の携帯電話端末１の制御部１２０においては、使用者の脈拍を正確に測定することができたか否かを判断する（ステップＳ５）。具体的には、使用者の脈拍を正確に計測可能な所定時間の間、脈拍の計測を行うようにしたか否かが判断される。
【００６４】
そして、使用者の脈拍を正確に計測することができるまで、ステップＳ５の判断処理が繰り返し行われる。ステップＳ５の判断処理において、使用者の脈拍を正確に計測することができたと判断したときには、携帯電話端末１の制御部１２０は、測定した脈拍データを取得する（ステップＳ６）。制御部１２０は、ステップＳ６において取得した脈拍データから送信用の脈拍データを形成し、これをベースバンド処理部１０４、送信部１０５、アンテナ共用器１０２、送受信アンテナ１０１を通じて、携帯電話端末２に送信する（ステップＳ７）。
【００６５】
携帯電話端末２の制御部１２０は、携帯電話端末１からの脈拍データを受信すると、当該脈拍データに基づいて、単位時間当たりの振動数が、脈拍データによって示される回数と同じになるように、バイブレータ１４３を制御して駆動させる（ステップＳ８）。そして、図４に示す処理に進み、携帯電話端末２は、携帯電話端末１からの脈拍データを受信して利用したことを示す脈拍データ受信応答を形成して、これを携帯電話端末１に送信する（ステップＳ９）。
【００６６】
携帯電話端末１は、携帯電話端末２からの脈拍データ受信応答を受信した場合には、当該応答を受信したことを使用者に通知するようにする（ステップＳ１０）。具体的には、バイブレータ１４３を振動させたり、リンガ１４２を駆動して所定のリンガ音を放音させたり、図示しないＬＥＤ（Light Emitting Diode）を発光させたりすることにより、脈拍データ受信応答を受信したことを通知する。
【００６７】
この後、携帯電話端末１または携帯電話端末２のいずれかが、回線切断操作（オンフック操作）を行った場合に、図３に示したステップＳ４において接続するようにした通信回線を切断（通信回線を解放）し、一連の処理を終了させる（ステップＳ１１）。
【００６８】
このように、送り手側の携帯電話端末１と受け手側の携帯電話端末２との間においては、通信回線を接続して通話を行うことができる。さらに、送り手側の携帯電話端末１の使用者の脈拍データを、携帯電話端末１から受け手側の携帯電話端末２に送信し、携帯電話端末２において、当該脈拍データに応じてバイブレータ１４３を駆動させることができる。
【００６９】
そして、上述もしたように、携帯電話端末１の使用者の脈拍は、当該使用者の感情等の状態に応じて変化するものであるので、携帯電話端末２の使用者は、自機のバイブレータ１４３の振動の状態に応じて、携帯電話端末１の使用者の状態を知ることができる。
【００７０】
なお、図３、図４を用いて説明した通信システムの動作において、ステップＳ１１の通信回線が切断されるまでの間において、所定のタイミング毎に、ステップＳ５〜ステップＳ１０までの処理を繰り返し行うようにすることもできる。このようにした場合には、通話中において変化した携帯電話端末１の使用者の脈拍の変化の状態をも携帯電話端末２の使用者に通知するようにすることができる。
【００７１】
また、ステップＳ８において駆動するようにしたバイブレータ１４３については、通信回線が切断されるまで駆動するようにしておくこともできるし、所定時間が経過するまで駆動させ、その後は停止させるようにすることもできる。また、携帯電話端末２の使用者からの停止指示入力を、キー操作部１３２を通じて受け付けた場合に、バイブレータ１４３の駆動を停止させるようにすることもできる。
【００７２】
また、図３、図４を用いて説明した通信システムの動作においては、ステップＳ８において、携帯電話端末１からの脈拍データに応じてバイブレータ１４３を駆動させた後に、自動的に脈拍データ受信応答を形成して携帯電話端末１に送信するようにした。しかし、これに限るものではない。例えば、ステップＳ８の後、携帯電話端末２は使用者からの操作入力を受け付けた場合に、脈拍データ受信応答を形成して、携帯電話端末１に送信することも可能である。
【００７３】
なお、ここで、脈拍データ受信応答は、脈拍データを受信して利用したことを示す予め決められた形式のデータである。この他、脈拍データ受信応答として、脈拍データを受信して利用したことを示すテキストデータを形成し、これを携帯電話端末１に送信するようにしてもよい。この場合には、携帯電話端末１は、テキストデータである脈拍データ受信応答を受信し、これをＬＣＤ１４１に表示するようにすればよい。
【００７４】
また、携帯電話端末２から携帯電話端末１に対して、脈拍データを受信して利用したことを示す脈拍データ受信応答を返信するのに代えて、受け手側の携帯電話端末２の使用者の脈拍を計測し、これを送り手側の携帯電話端末１に対して送信することもできる。
【００７５】
図５は、脈拍データ受信応答を返信するのに代えて、受け手側の携帯電話端末２の使用者の脈拍を計測し、これを送り手側の携帯電話端末１に対して送信するようにした場合のこの実施の形態の通信システムの動作を説明するためのシーケンス図である。
【００７６】
この場合にも、図３に示したステップＳ１〜ステップＳ８までの処理は、そのまま上述した通りに行われる。そして、この例の場合には、ステップＳ８の処理の後、図５に示す処理に進み、携帯電話端末２の脈拍センサ１５１は、携帯電話端末２の使用者の脈拍を計測する処理を開始する（ステップＳ１２）。
【００７７】
この後、携帯電話端末２の制御部１２０は、携帯電話端末２の使用者の脈拍を正確に計測することができたか否かを判断する（ステップＳ１３）。このステップＳ１３の処理は、図３に示したステップＳ５の処理と同様に、携帯電話端末２の使用者の脈拍を正確に計測可能な所定時間の間、脈拍の計測を行うようにしたか否かを判断する処理である。
【００７８】
そして、使用者の脈拍を正確に計測することができるまで、ステップＳ１３の判断処理が繰り返し行われる。ステップＳ１３の判断処理において、携帯電話端末２の使用者の脈拍を正確に測定することができたと判断したときには、携帯電話端末２の制御部１２０は、測定した脈拍データを取得する（ステップＳ１４）。制御部１２０は、ステップＳ１４において取得した脈拍データから送信用の脈拍データを形成し、これをベースバンド処理部１０４、送信部１０５、アンテナ共用器１０２、送受信アンテナ１０１を通じて、携帯電話端末１に送信する（ステップＳ１５）。
【００７９】
携帯電話端末１の制御部１２０は、携帯電話端末２からの脈拍データを受信すると、当該脈拍データに基づいて、単位時間当たりの振動数が、脈拍データによって示される回数と同じになるように、バイブレータ１４３を制御して駆動させる（ステップＳ１６）。この後、携帯電話端末１または携帯電話端末２のいずれかが、回線切断操作（オンフック操作）を行った場合に、図３に示したステップＳ４において接続するようにした通信回線を切断（通信回線を解放）し、一連の処理を終了させる（ステップＳ１７）。
【００８０】
このように、受け手側の携帯電話端末２からも、携帯電話端末２の使用者の脈拍データを携帯電話端末１に送信することによって、携帯電話端末１の使用者が、携帯電話端末２の使用者の状態を知ることができるようにすることも可能である。
【００８１】
また、この図５に示した例の場合にも、図３、図５を用いて説明した通信システムの動作において、ステップＳ１７の通信回線が切断されるまでの間において、所定のタイミング毎に、ステップＳ５〜ステップＳ８までの処理及びステップＳ１２〜ステップＳ１６までの処理を繰り返し行うようにすることもできる。このようにした場合には、通話中において変化した携帯電話端末１、携帯電話端末２のそれぞれの使用者の脈拍の変化の状態を、通信の相手先に通知することができる。
【００８２】
また、ステップＳ８、ステップＳ１６において駆動するようにした携帯電話端末２及び携帯電話端末１のバイブレータ１４３については、通信回線が切断されるまで駆動するようにしておくこともできるし、所定時間が経過するまで駆動させ、その後は停止させるようにすることもできる。また、使用者からの停止指示入力を、キー操作部１３２を通じて受け付けた場合に、バイブレータ１４３の駆動を停止させるようにすることもできる。
【００８３】
また、図３、図５を用いて説明した通信システムの動作においては、ステップＳ８において、携帯電話端末１からの脈拍データに応じてバイブレータ１４３を駆動させた後に、自動的に携帯電話端末２の使用者の脈拍を計測して携帯電話端末１に送信するようにした。しかし、これに限るものではない。例えば、ステップＳ８の後、携帯電話端末２は使用者からの操作入力を受け付けた場合に、携帯電話端末２の使用者の脈拍を計測して携帯電話端末１に送信することも可能である。
【００８４】
［携帯電話端末１、２の個別の動作について］
次に、この第１の実施の形態の通信システムを構成する送り手側の携帯電話端末１の動作と、受け手側の携帯電話端末２の動作とについて、それぞれ別個に説明する。以下においては、図３及び図５を用いて説明したように、送り手側の携帯電話端末１と受け手側の携帯電話端末２との間で、相互に脈拍データを交換するようにする場合の動作について説明する。
【００８５】
［送り手側の携帯電話端末１の動作について］
図６、図７は、この実施の形態の通信システムにおいて、送り手側の携帯電話端末１の動作について説明するためのフローチャートである。図６、図７に示すフローチャートの処理は、送り手側の携帯電話端末１が使用者の手に取られ、使用者の指などが脈拍センサ１５１に接触するようにされた場合に、携帯電話端末１の主に制御部１２０において実行されるものである。
【００８６】
使用者の指などが脈拍センサ１５１に接触するようにされると、脈拍センサ１５１は、当該使用者の脈拍の計測を開始する（ステップＳ１０１）。次に、制御部１２０は、キー操作部１３２を通じて使用者からの発呼操作を受け付け（ステップＳ１０２）、受け付けた操作に応じて着信要求を生成し、これを目的とする相手先である携帯電話端末２に送信する（ステップＳ１０３）。
【００８７】
そして、携帯電話端末２からの着信応答を受信するようにし（ステップＳ１０４）、着信応答を受信したか否かを判断する（ステップＳ１０５）。ステップＳ１０５の判断処理において、まだ着信応答を受信していないと判断したときには、制御部１２０は、キー操作部１３２を通じて、発信を中止する操作（オンフック操作）を受け付けたか否かを判断する（ステップＳ１０６）。
【００８８】
ステップＳ１０６の判断処理において、オンフック操作は受け付けていないと判断したときには、ステップＳ１０３からの処理を繰り返し、着信要求の送信を継続して行うようにする。また、ステップＳ１０６の判断処理において、オンフック操作を受け付けたと判断したときには、携帯電話端末２との通話は断念するようにされたので、脈拍センサ１５１を制御して、脈拍の計測を停止させる（ステップＳ１０７）。この後、図７のステップＳ１１６の処理に進み、着信要求を形成して送信する処理を終了させる処理を実行し（ステップＳ１１６）、この図６、図７に示す処理を終了する。
【００８９】
そして、ステップＳ１０５の判断処理において、着信先である携帯電話端末２からの着信応答を受信したと判断したときには、通信回線を接続して通話をできるようにする（ステップＳ１０８）。通信回線接続の後、制御部１２０は、携帯電話端末１の使用者の脈拍を正確に測定することができたか否かを判断する（ステップＳ１０９）。
【００９０】
ステップＳ１０９の判断処理において、まだ、脈拍を正確に計測できていないと判断したときには、ステップＳ１０９の処理を繰り返し、脈拍が正確に計測することができるまで待ち状態となる。そして、ステップＳ１０９の判断処理において、脈拍の計測が正確にできたと判断したときには、制御部１２０は、計測した脈拍データを取得する（ステップＳ１１０）。制御部１２０はステップＳ１１０において取得した脈拍データから送信用の脈拍データを形成し、これを接続されている通信回線を通じて、受け手側の携帯電話端末２に送信する（ステップＳ１１１）。
【００９１】
次に、制御部１２０は、受け手側の携帯電話端末２からの脈拍データを受信するようにし（ステップＳ１１２）、携帯電話端末２からの脈拍データを受信したか否かを判断する（ステップＳ１１３）。ステップＳ１１３の判断処理において、携帯電話端末２からの脈拍データを受信していないと判断したときには、ステップＳ１１２からの処理を繰り返し、携帯電話端末２からの脈拍データの受信を行うようにする。
【００９２】
ステップＳ１１３の判断処理において、携帯電話端末２からの脈拍データを受信したと判断したときには、制御部１２０は、単位時間当たりの振動数が、受信した脈拍データによって示される回数と同じになるように、バイブレータ１４３を制御して駆動させる（ステップＳ１１４）。
【００９３】
そして、制御部１２０は、通信回線が切断されたか否かを判断する（ステップＳ１１５）。ステップＳ１１５の判断処理において、まだ、通信回線が切断されていないと判断したときには、ステップＳ１１５の判断処理を繰り返すことによって、通信回線が切断されるまで待ち状態となる。
【００９４】
また、ステップＳ１１５の判断処理において、通信回線が切断されたと判断したときには、通信回線を解放するなどの一連の処理を終了させる処理を実行し（ステップＳ１１６）、この図６、図７に示す処理を終了する。
【００９５】
なお、ステップＳ１１５の判断処理において、通信回線が切断されていないと判断したときに、図６に示したステップＳ１０９からの処理を行うようにすることによって、通信回線の接続中において、携帯電話端末１、携帯電話端末２のそれぞれの使用者の脈拍を継続して計測し、脈拍データの交換を行うようにすることができる。このようにした場合には、通話中に脈拍が変化した場合であっても、これをリアルタイムに通知することができる。
【００９６】
［受け手側の携帯電話端末２の動作について］
図８、図９は、この実施の形態の通信システムにおいて、受け手側の携帯電話端末２の動作について説明するためのフローチャートである。図８、図９に示すフローチャートの処理は、受け手側の携帯電話端末２に電源が投入され、待ち受け状態にあるときに、携帯電話端末２の主に制御部１２０において実行される処理である。
【００９７】
携帯電話端末２の制御部１２０は、自機への着信の有無を判別し（ステップＳ２０１）、着信が無いと判断したときには、ステップＳ２０１の処理を繰り返し、自機への着信待ちとなる。ステップＳ２０１の判断処理において、自機への着信があると判断したときには、制御部１２０は、リンガ１４２あるいはバイブレータ１４３を制御し、自機に着信があることを音声あるいは振動により携帯電話端末２の使用者に通知する（ステップＳ２０２）。
【００９８】
そして、制御部１２０は、キー操作部１３２を通じて着信に応答する操作（オフフック操作）を受け付けるようにし（ステップＳ２０３）、着信に応答する操作を受け付けたか否かを判断する（ステップＳ２０４）。ステップＳ２０４の判断処理において、着信に応答する操作を受け付けていないと判断したときには、制御部１２０は、受信する信号に基づいて、自機への着信が継続しているか否かを判断する（ステップＳ２０５）。
【００９９】
ステップＳ２０５の判断処理において、着信が継続していると判断したときには、ステップＳ２０２からの処理を繰り返すようにする。すなわち、着信の通知を継続して行うと共に、使用者からの着信に応答する操作を受け付けるようにする。ステップＳ２０５の判断処理において、着信が継続していないと判断したときには、自機への着信は消滅したので、この図８、図９に示す処理を終了する。
【０１００】
そして、ステップＳ２０４の判断処理において、着信に応答する操作を受け付けたと判断したときには、制御部１２０は、着信応答を生成し、これをベースバンド処理部１０４、送信部１０８、アンテナ共用器１０２、送受信アンテナ１０１を通じて、送り手側の携帯電話端末１に対して送信する（ステップＳ２０６）。
【０１０１】
そして、携帯電話端末２は、携帯電話端末１との間に通信回線を接続し（ステップＳ２０７）、携帯電話端末１との間で通話を行うことができるようにされる。この後、制御部１２０は、送り手側の携帯電話端末１から送信されてくる使用者の脈拍データを受信するようにし（ステップＳ２０８）、携帯電話端末１からの脈拍データを受信したか否かを判断する（ステップＳ２０９）。
【０１０２】
ステップＳ２０９の判断処理において、携帯電話端末１からの脈拍データを受信していないと判断したときには、ステップＳ２０８からの処理を繰り返し、携帯電話端末１からの脈拍データの受信待ちとなる。ステップＳ２０９の判断処理において、携帯電話端末１からの脈拍データを受信したと判断したときには、制御部１２０は、単位時間当たりの振動数が、受信した脈拍データによって示される回数と同じになるように、バイブレータ１４３を制御して駆動させる（ステップＳ２１０）。
【０１０３】
そして、図９に示す処理に進み、当該携帯電話端末２の制御部１２０は、携帯電話端末１からの着信要求に応答し、通話を行う状態にある携帯電話端末２の使用者の脈拍を、脈拍センサ１５１を通じて計測する処理を開始する（ステップＳ２１１）。そして、制御部１２０は、携帯電話端末２の使用者の脈拍を正確に測定することができたか否かを判断する（ステップＳ２１２）。
【０１０４】
このステップＳ２１２の判断処理において、使用者の脈拍をまだ正確に計測していないと判断したときには、ステップＳ２１２の処理を繰り返し、正確に計測できるまで待ち状態となる。ステップＳ２１２の判断処理において、携帯電話端末１の使用者の脈拍数を正確に把握したと判断したときには、制御部１２０は、最新の脈拍データを取得する（ステップＳ２１３）。
【０１０５】
そして、ステップＳ２１３において取得した脈拍データから送信用の脈拍データを生成し、これを接続されている通信回線を通じて、送り手側の携帯電話端末１に対して送信する（ステップＳ２１４）。この後、通信回線が切断されるまで待ち状態となり（ステップＳ２１５）、ステップＳ２１５の判断処理において、通信回線は切断されたと判断したときには、通話処理を終わらせるようにする終了処理を実行し（ステップＳ２１６）、この図８、図９に示す処理を終了する。
【０１０６】
なお、図９に示したステップＳ１１５の判断処理において、通信回線が切断されていないと判断したときに、図８に示したステップＳ２０８からの処理を行うようにすることによって、通信回線の接続中において、携帯電話端末１、携帯電話端末２のそれぞれの使用者の脈拍を継続して計測し、脈拍データの交換を行うようにすることができる。このようにした場合には、通話中に脈拍が変化した場合であっても、これをリアルタイムに通知することができる。
【０１０７】
このように、この第１の実施の形態の通信システムにおいては、送り手側の携帯電話端末１においては、図６及び図７を用いて説明した処理を、また、受けて側の携帯電話端末２においては、図８及び図９を用いて説明した処理を実行することができるようにされる。これにより、送り手側の携帯電話端末１と受け手側の携帯電話端末２との間において、使用者の状態を示す脈拍データを相互に送受することができるようにされる。したがって、携帯電話端末２の使用者は携帯電話端末１の使用者の状態を知ることができ、また、携帯電話端末１の使用者は携帯電話端末２の使用者の状態を知ることができるようにされる。
【０１０８】
なお、図６〜図９のフローチャートにおいては、送り手側の携帯電話端末１と受け手側の携帯電話端末２との間において、相互に使用者の脈拍データを送受するものとして説明したが、これに限るものではない。
【０１０９】
例えば、受け手側の携帯電話端末２において実行される図８、図９に示した処理において、ステップＳ２１１〜ステップＳ２１４の処理に代えて、携帯電話端末１からの脈拍データを受信して利用したことを示す脈拍データ受信応答を形成して送信するようにする。一方、送り手側の携帯電話端末１において実行される図６、図７に示した処理において、ステップＳ１１２〜ステップＳ１１４の処理に代えて、受け手側の携帯電話端末２からの脈拍データ受信応答を受信するようにし、これを受信したときには、受信したことをリンガ１４２、バイブレータ１４３などを通じて通知するようにする。
【０１１０】
このようにすることにより、送り手側の携帯電話端末１の使用者の脈拍データについては、受け手側の携帯電話端末２に送信し、受け手側の携帯電話端末２からは、脈拍データを受信して利用したことの通知だけを受けることができるようにされる。つまり、受け手側の携帯電話端末２の使用者の脈拍データを送り手側の携帯電話端末１に送信しなくても、送り手側の携帯電話端末１からの脈拍データを携帯電話端末２で受信して利用したことを送り手側の携帯電話端末１に通知することができる。
【０１１１】
なお、ここでは、通信の相手先の携帯電話端末の使用者の脈拍データに基づいて、バイブレータの振動を制御させる場合について説明したが、これに限るものではない。例えば、携帯電話端末が、ＬＥＤを備えるものであれば、送信されてくる脈拍データに応じて、当該ＬＥＤの点灯、消灯の周期を制御するようにしたり、あるいは、ＬＣＤ１４１への画像の表示、非表示の周期を制御したりすることもできる。また、リンガ１４２を制御して、放音するリンガ音を、受信した脈拍データに応じて周期的なものしたりすることも可能である。
【０１１２】
［第１の実施の形態の第１の変形例］
上述した第１の実施の形態においては、携帯電話端末１、２が内蔵するバイブレータ１４３を、受信した相手先からの脈拍データに基づいて制御するものとして説明した。しかし、これに限るものではない。受信した脈拍データに基づいて制御するバイブレータなどを、携帯電話端末の外部に設けるようにすることもできる。
【０１１３】
図１０は、受信した脈拍データに基づいて制御可能なバイブレータなどを、携帯電話端末に対して取り付けるいわゆる携帯ストラップに設けるようにした場合の例について説明するための図である。
【０１１４】
図１０に示すように、この例の携帯電話端末１Ａ、２Ａは、図１を用いて説明した携帯電話端末１、２の場合と同様に、使用者によって持たれた場合に、使用者の指などが触れる位置に、脈拍バイブレータ１５１が設けられたものである。そして、この例の携帯電話端末１Ａ、２Ａには、携帯ストラップ型振動体３が、通常の携帯ストラップの場合と同様に、紐状の取り付け媒体により取り付けられているものである。
【０１１５】
そして、携帯ストラップ型振動体３は、詳しくは後述もするが、振動体やＬＥＤが内蔵されたものである。そして、携帯ストラップ型振動体３は、近距離無線通信により、自己が取り付けられている携帯電話端末からの情報を受けて、自己に搭載されている振動体やＬＥＤの駆動を制御することができるものである。
【０１１６】
このため、以下に説明するように、この例の携帯電話端末１Ａ、２Ａと、それらに取り付けられる携帯ストラップ型振動体３とは、近距離無線通信により通信を行うことができるようにされている。
【０１１７】
そして、この例の携帯電話端末１Ａ、２Ａによって構成される通信システムにおいても、送り手側の携帯電話端末１Ａは、通話時において使用者の脈拍を計測し、計測して得た脈拍値から脈拍データを形成して、受け手側の携帯電話端末２Ａに送信することができるものである。
【０１１８】
一方、受け手側の携帯電話端末２Ａは、携帯電話端末１Ａからの脈拍データを受信し、これに応じて自機に取り付けられている携帯ストラップ型振動体３を無線制御し、携帯ストラップ型振動体の振動体やＬＥＤの駆動を制御することができるものである。また、受け手側の携帯電話端末２Ａもまた、上述した携帯電話端末２の場合と同様に、携帯電話端末１Ａからの脈拍データを受信して利用した場合に、このことを通知する応答を携帯電話端末１Ａに返信することができるものである。これにより、送り手側の携帯電話端末１においては、自機から送信された脈拍データが正常に受信されて利用されたことを把握することができるようにされる。
【０１１９】
［第１の実施の形態の第１の変形例で用いられる機器の構成について］
次に、この第１の変形例において用いられる携帯電話端末１Ａ、２Ａの構成と、携帯ストラップ型振動体３の構成とについて説明する。
【０１２０】
［携帯電話端末１Ａ、２Ａの構成について］
図１１は、この第１の変形例において用いられる携帯電話端末１Ａ、２Ａの構成を説明するためのブロック図である。この変形例の場合にも、携帯電話端末１Ａと、携帯電話端末２Ａとは同様に構成されるものであるので、以下においては、携帯電話端末１Ａの構成として説明する。
【０１２１】
図１１に示すように、この例の携帯電話端末１Ａ、２Ａは、近距離無線部１５２、近距離無線通信用のアンテナ１５３を備える点を除けば、図２に示した携帯電話端末１、２と同様に構成されるものである。このため、説明の重複を避けるため、図１１に示すこの第１の変形例の携帯電話端末１Ａ、２Ａにおいて、図２に示した第１の実施の形態の携帯電話端末１、２と同様に構成される部分には同じ参照符号を付し、その部分の詳細な説明については省略する。
【０１２２】
そして、図１１に示す第１の実施の形態の第１の変形例の携帯電話端末１Ａにおいて、近距離無線部１５２、近距離無線通信用のアンテナ１５３は、自機に装着される携帯ストラップ型振動体３との間での近距離無線通信を行うためのものである。近距離無線部１５２、近距離無線通信用のアンテナ１５３は、例えば、Ｂｌｕｅｔｏｏｔｈなど、種々の近距離無線通信技術が用いられたものである。
【０１２３】
そして、近距離無線部１５２は、制御部１２０の制御に応じて、自機から送信すべき情報を含む信号を変調するなどの処理を行うことにより近距離無線通信により送信すべき送信信号を形成し、これをアンテナ１５３を通じて送信することができるものである。また、近距離無線部１５２は、アンテナ１５３を通じて受信する受信信号を復調するなどの処理を行って、制御部１２０において処理可能な形式の信号を形成し、これを制御部１２０に供給することができるものである。
【０１２４】
［携帯ストラップ型振動体３の構成について］
図１２は、この第１の変形例の携帯ストラップ型振動体３の構成を説明するためのブロック図である。図１２に示すように、この例の携帯ストラップ型振動体３は、近距離無線通信用のアンテナ３０１、近距離無線部３０２、ＬＥＤ３０３、振動体３０４、制御部３１０を備えたものである。
【０１２５】
制御部３１０は、当該携帯ストラップ型振動体３の各部を制御するものであり、図１２に示すように、ＣＰＵ３１１、ＲＯＭ３１２、ＲＡＭ３１３がＣＰＵバス３１４を通じて接続されて形成されたマイクロコンピュータである。
【０１２６】
ここで、ＣＰＵ３１１は、後述するＲＯＭ３１２に記憶保持されているプログラムを実行し、各部に供給する制御信号を形成して各部に供給したり、各部からの種々のデータの提供を受けてこれを処理したりするなど、携帯ストラップ型振動体３における制御の主体となるものである。また、ＲＯＭ３１２は、上述もしたように、ＣＰＵ３１１によって実行されるプログラムや処理に必要なデータを記憶保持するものである。また、ＲＡＭ３１３は、種々の処理の途中結果を一時記憶するなど、主に作業領域として用いられるものである。
【０１２７】
そして、アンテナ３０１、近距離無線部３０２は、図１１を用いて上述した携帯電話端末１Ａ、２Ａのアンテナ１５３、近距離無線部１５２と同様に、自機が装着された携帯電話端末との間において、近距離無線通信により通信を行うようにするものである。
【０１２８】
具体的には、近距離無線部３０２は、アンテナ３０１を通じて自機宛の送信信号を受信し、これを復調するなどの処理を行って、制御部３１０において処理可能な信号（受信信号）を形成し、これを制御部３１０に供給することができるものである。また、近距離無線部３０２は、制御部３１０の制御に応じて、自機から送信すべき情報を含む信号を変調するなどの処理を行うことにより近距離無線通信により送信すべき送信信号を形成し、これをアンテナ３０１を通じて送信することができるものである。
【０１２９】
また、ＬＥＤ３０３は、駆動電力の供給を受けて発光するものであり、制御部３１０の制御に応じて、点灯、消灯が制御されるものである。また、振動体３０４は、駆動電力の供給を受けて、振動を発生させることができるものであり、制御部３１０の制御に応じて振動の発生パターンを変えることのできるものである。そして、以下に説明するように、この例の携帯ストラップ型振動体３は、自己が装着されている携帯電話端末からの制御信号を受信して、これに応じてＬＥＤ３０３や振動体３０４の駆動を制御することができるものである。
【０１３０】
［携帯電話端末１Ａ、２Ａと携帯ストラップ型振動体３の連携について］
そして、この例の携帯電話端末２Ａも図１１に示した構成を有するものである。したがって、携帯電話端末２Ａにおいては、通信の相手先である携帯電話端末１Ａから携帯電話端末１Ａの使用者の脈拍データが送信されてきた場合に、携帯電話端末２Ａの制御部１２０は、近距離無線部１５２を制御して、自機に装着されている携帯ストラップ型振動体３に対して、受信した脈拍データを送信する。
【０１３１】
携帯電話端末２Ａに装着された携帯ストラップ型振動体３においては、アンテナ３０１、近距離無線部３０２を通じて、携帯電話端末２Ａからの脈拍データを受信し、これを制御部１２０に供給する。制御部１２０は、受信した脈拍データに基づいて、ＬＥＤドライブ３０３Ｂ、振動体ドライブ３０４Ｂを制御し、ＬＥＤ３０３Ａ、振動体３０４Ａを駆動させる。これにより、ＬＥＤ３０４Ａを受信した脈拍データに応じた周期で点滅させたり、振動体３０４Ａを受信した脈拍データに応じた周期で振動させたりすることができるようにされる。
【０１３２】
同様に、携帯電話端末１Ａもまた、通信の相手先である携帯電話端末２Ａから携帯電話端末２Ａの使用者の脈拍データが送信されてきた場合に、携帯電話端末１Ａの制御部１２０は、近距離無線部１５２を制御して、自機に装着されている携帯ストラップ型振動体３に対して、脈拍データを送信する。
【０１３３】
携帯電話端末１Ａに装着された携帯ストラップ型振動体３においては、アンテナ３０１、近距離無線部３０２を通じて、携帯電話端末２Ａからの脈拍データを受信し、これを制御部１２０に供給する。制御部１２０は、受信した脈拍データに基づいて、ＬＥＤ３０３、振動体３０４を駆動させる。これにより、ＬＥＤ３０４を、受信した脈拍データに応じた周期で点滅させたり、振動体３０４を、受信した脈拍データに応じた周期で振動させたりする。
【０１３４】
そして、第１の実施の形態の第１の変形例において、図１１に示した構成の携帯電話端末１Ａ、２Ａが、それぞれに図１２に示した構成の携帯ストラップ型３を備えて通信システムを形成した場合の当該通信システムの動作は、図３〜図５を用いて説明した処理と同様の処理が行われる。
【０１３５】
具体的には、図３に示したステップＳ８の処理において、携帯電話端末２Ａは、近距離無線部１５２を制御して、上述したように、自機に装着されている携帯ストラップ型振動体３を駆動制御することになる。また、図５に示したステップＳ１６の処理において、携帯電話端末１Ａは、近距離無線部１５２を制御して、自機に装着されている携帯ストラップ型振動体３を駆動制御することになる。
【０１３６】
［第１の実施の形態の第２の変形例］
上述した第１の実施の形態においては、携帯電話端末を用いて通信システムを構成するようにした。しかし、据え置き型の通信機器を用いた場合にも同様のことを行うようにすることができる。この第１の実施の形態の第２の変形例は、家庭などに設置されて用いられる通信端末を用いて構成する通信システムに、この発明の一実施の形態を適用したものである。
【０１３７】
図１３は、この第１の実施の形態の第２の変形例の通信システムについて説明するための図である。図１３に示すように、この第２の変形例の場合、通信端末１Ｂ、２Ｂによって通信システムが構成される。通信端末１Ｂ、２Ｂは、大きく分けると、本体部４０１と、表示装置部４０２と、キーボード４０３と、ポインティングデバイス４０４とからなるものである。また、図１３においては、図示しないが、通信端末１Ｂ、２Ｂは、後述もするように受話器や送話器をも備えるものである。
【０１３８】
通信端末１Ｂ、２Ｂは、種々の態様で構成することが可能であるが、この第２の例の場合には、通信機能を備えたパーソナルコンピュータとして実現するようにされている。そして、この第２の例においても、送り手側が通信端末１Ｂであり、受け手側が通信端末２Ｂであるものとして説明する。そして、送り手側の通信端末１Ｂと受け手側の通信端末２Ｂとは、有線により、公衆電話網やインターネットなどの広域通信網に接続し、目的とする相手先の通信端末との間において通信回線を接続し、通話などの通信を行うことができるものである。
【０１３９】
そして、この第２の例の場合、ポインティングデバイス４０４に、脈拍センサ、ＬＥＤ、振動体を設けておくことにより、通話時において、使用者の脈拍を検出し、これを脈拍データとして相手先に送信したり、相手先からの脈拍データを受信して、当該脈拍データに応じて、ポインティングデバイス４０４のＬＥＤや振動体を駆動させたりすることができるようにしている。
【０１４０】
［第１の実施の形態の第２の変形例で用いられる機器の構成について］
次に、この第２の変形例において用いられる通信端末１Ｂ、２Ｂの構成と、ポインティングデバイス４０４の構成とについて説明する。
【０１４１】
［通信端末１Ｂ、２Ｂの構成について］
図１４は、この第１の実施の形態の第２の変形例において用いられる通信端末１Ｂ、２Ｂの構成を説明するためのブロック図である。なお、この第２の変形例において、通信端末１Ｂ、２Ｂは同じ構成を有するものであるので、以下においては、通信端末１Ｂの構成として説明する。上述もしたように、通信端末１Ｂを大きく分けると、本体部４０１、表示装置部４０２、キーボード４０３、ポインティングデバイス４０４を備えると共に、受話器４０５、送話器４０６を備えたものである。
【０１４２】
ここで、表示装置部４０２は、図１４に示したように、例えば、ＬＣＤ（Liquid Crystal Display）、有機ＥＬパネル（organic electroluminescence panel）、ＰＤＰ（Plasma Display Panel）、ＣＲＴ（Cathode-Ray Tube）等の種々の表示素子やそれらのコントローラからなる表示部４０２１やスピーカやアンプからなるスピーカ部４０２２を備えたものである。
【０１４３】
また、キーボード４０３は、アルファベットキー、数字キー、種々のファンクションキーなどからなるものである。ポインティングデバイス４０４は、いわゆるマウス型のものであり、その構成の詳細については後述する。また、受話器４０５は通信の相手先からの音声を放音するスピーカであり、送話器４０６は送信するこちら側の使用者の音声を集音するマイクロホンである。
【０１４４】
なお、受話器４０５と送話器４０６とは、据え置き型の電話機の場合と同様に、それらが１つの筐体に収められ、使用者が手に持って使用するようにするハンドセットの構成とされたり、あるいは、ヘッドホンと当該ヘッドホンに装着するように設けられるマイクロホンとからなり、使用者の頭部に装着して使用するようにされるヘッドセットの構成とされたりする場合がある。
【０１４５】
そして、本体部４０１は、図１４に示すように、通信インターフェース（以下、通信Ｉ／Ｆと略称する。）４０１１、映像処理部４０１２、音声処理部４０１３、ハードディスクドライブ（以下、ＨＤＤと略称する。）４０１４、キーインターフェース（以下、キーＩ／Ｆと略称する。）４０１５、受話器用のインターフェース（Ｉ／Ｆ）４０１６、送話器用のインターフェース（Ｉ／Ｆ）４０１７、制御部４１００を備えたものである。
【０１４６】
制御部４１００は、本体部４０１の各部を制御するものであり、図１４に示すように、ＣＰＵ４１０１、ＲＯＭ４１０２、ＲＡＭ４１０３、ＥＥＰＲＯＭ４１０４が、ＣＰＵバス４１０５を通じて接続されて形成されたマイクロコンピュータである。ＣＰＵ４１０１は、後述するＲＯＭ４１０２に記憶保持されているプログラムを実行し、各部に供給する制御信号を形成して、これを各部に供給したり、また、各部から種々の情報を受け付けて、これを処理したりするなど、本体部４０１の制御の主体となるものである。
【０１４７】
また、ＲＯＭ４１０２は、上述したように、ＣＰＵ４１０１によって実行される種々のプログラムや処理に必要になるか各種のデータ等を記憶保持しているものである。また、ＲＡＭ４１０３は、各種の処理の途中結果を一時記憶するなど、主に作業領域として用いられるものである。また、ＥＥＰＲＯＭ４１０４は、不揮発性メモリであり、本体部４０１の電源が落とされても記憶保持しておくべきデータ等、例えば、各種の設定パラメータ、機能強化のための新たなプログラムなどを記憶保持するものである。
【０１４８】
そして、通信Ｉ／Ｆ４０１１は、制御部４１００の制御に応じて、広域ネットワークを通じて目的とする相手先の通信機器との間に通信回線を接続し、自機から送信すべき情報から送信用の情報を形成して、通信回線に送出したり、送信されてくる自機宛の情報を受信して、これを制御部４１００において処理可能な形式にして、これを制御部４１００に供給したりするなどの処理を行うものである。
【０１４９】
また、映像処理部４０１２は、制御部４１００の制御に応じて、自機に供給される映像データから表示装置部４０２の表示部４０２１に供給する映像信号を形成し、これを表示装置部４０２の表示部４０２１に供給するものである。また、音声処理部４０１３は、制御部４１００の制御に応じて、自機に供給される音声データから表示装置部４０２のスピーカ部４０２２に供給する音声信号を形成し、これを表示装置部４０２のスピーカ部４０２２に供給するものである。
【０１５０】
これら映像処理部４０１２、音声処理部４０１３の機能により、後述するＨＤＤ４０１４に格納されている映画などのＡＶ（Audio/Visual）コンテンツを再生するようにしたり、通信Ｉ／Ｆを通じて外部から取得するする種々の映像コンテンツや音声コンテンツを再生したりすることができるようにされる。
【０１５１】
ＨＤＤ４０１４は、例えば、数百ギガバイト程度の比較的に大容量のハードディスクを備え、制御部４１００の制御に応じて、データの書き込み及び読み出しを行うことができるものである。例えば、図示しない外部Ｉ／Ｆを通じて提供を受けたＡＶコンテンツなどを記憶保持したり、通信Ｉ／Ｆ４０１１を通じてダウンロードしてきた映像コンテンツ、音声コンテンツ、ＡＶコンテンツなどを記憶保持したりすることができるものである。
【０１５２】
また、キーＩ／Ｆ４０１５は、キーボード４０３を通じて受け付けた情報を、制御部４１００に供給する形式にして、制御部４１００に供給したり、ポインティングデバイス４０４を通じて受け付けた情報を、制御部４１００に供給する形式にして、制御部４１００に供給したりすることができるものである。また、この第２の変形例の場合、キーＩ／Ｆ４０１５は、制御部４１００からのポインティングデバイス４０４に対する制御信号を、ポインティングデバイス４０４に供給することもできるものである。
【０１５３】
また、受話器用のＩ／Ｆ４０１６は、制御部４１００を通じて供給される通信の相手先からの音声データ（デジタル信号）をアナログ音声信号に変換し、これを受話器４０５に供給するものである。また、送話器用のＩ／Ｆ４０１７は、送話器４０６を通じて集音した使用者からの音声信号をデジタル信号に変換して、制御部４１００に供給するものである。このように、受話器用のＩ／Ｆ４０１６と送話器用のＩ／Ｆ４０１７とにより、電話端末におけるコーデックとしての機能を実現するようにしている。
【０１５４】
そして、制御部４１００が、電話機におけるベースバンド処理部としての機能を実現し、また、通信Ｉ／Ｆ４０１１が、電話機における受信部及び送信部の機能を実現している。これにより、通信Ｉ／Ｆ４０１１、制御部４１００、Ｉ／Ｆ４０１６、受話器４０５、Ｉ／Ｆ４０１７、送話器４０６の系により、通信の相手先との間に通信回線を接続し、通信の相手先との間において通話を行うことができるようにされる。
【０１５５】
［ポインティングデバイス４０４の構成について］
図１５は、この第１の実施の形態の第２の変形例のポインティングデバイス４０４の構成を説明するためのブロック図である。図１５に示すように、この例のポインティングデバイス４０４は、本体部４０１に接続するための接続インターフェース（以下接続Ｉ／Ｆという。）４０４１、移動検出部４０４２、操作部４０４３、脈拍センサ４０４４、ＬＥＤ４０４５、振動体４０４６、制御部４２００を備えたものである。
【０１５６】
制御部４２００は、このポインティングデバイス４０４の各部を制御するものであり、図１５に示すように、ＣＰＵ４２０１、ＲＯＭ４２０２、ＲＡＭ４２０３が、ＣＰＵバス４２０４通じて接続されて形成されたマイクロコンピュータである。ＣＰＵ４２０１は、後述するＲＯＭ４２０２に記憶保持されているプログラムを実行し、各部に供給する制御信号を形成して、これを各部に供給したり、また、各部から種々の情報を受け付けて、これを処理したりするなど、ポインティングデバイス４０４の制御の主体となるものである。
【０１５７】
また、ＲＯＭ４２０２は、上述したように、ＣＰＵ４２０１によって実行される種々のプログラムや処理に必要になるか各種のデータ等を記憶保持しているものである。また、ＲＡＭ４２０３は、各種の処理の途中結果を一時記憶するなど、主に作業領域として用いられるものである。
【０１５８】
そして、接続Ｉ／Ｆ４２０１は、本体部４０１に接続するためのものである。そして、接続Ｉ／Ｆ４２０１は、制御部４２００から供給されるデータから本体部４０１に送信するデータを形成し、これを本体部４０１に送信する。また、接続Ｉ／Ｆ４２０１は、本体部４０１からのデータを受信して、制御部４２００において処理可能な形式に変換し、これを制御部４２００に供給する。
【０１５９】
移動検出部４０４２は、使用者によって移動するように操作される当該ポインティングデバイスの移動方向と移動量とを検出し、これらを示す情報を制御部４２００に供給するものである。そして、制御部４２００は、移動検出部４０４２からの検出結果を、リアルタイムに接続Ｉ／Ｆ４０４１を通じて、本体部４０１に送信する。これにより、本体部４０１の制御部４１００は、映像処理部４０１２を制御し、表示部４０２１の表示画面に表示されたカーソルを移動させることができるようにされる。
【０１６０】
また、操作部４０４３は、押下操作部や回動操作部を備え、使用者からの操作入力を受け付け、これを電気信号に変換して、制御部４２００に供給するものである。そして、制御部４２００は、操作部４０４３からの操作入力を、リアルタイムに接続Ｉ／Ｆ４０４１を通じて本体部４０１に送信する。これにより、本体部４０１の制御部４１００は、ポインティングデバイス４０４からの操作入力に応じて各部を制御することができるようにされる。
【０１６１】
そして、この第２の変形例のポインティングデバイス４０４は、上述もしたように、脈拍センサ４０４４、ＬＥＤ４０４５、振動体４０４６が設けられたものである。
【０１６２】
脈拍センサ４０４４は、ポインティングデバイス４０４が使用者の手によって操作される状態にあるときに、使用者の指などが接触される位置に設けられ、使用者の脈拍を検出して制御部４２００に通知するものである。また、ＬＥＤ４０４５は、駆動電力の供給を受けて発光することができるものであり、制御部４２００の制御に応じて点灯、消灯が制御可能なものである。また、振動体４０４６は、駆動電力の供給を受けて振動を発生させることができるものであり、制御部４２００の制御に応じて振動の発生パターンを変えることができるものである。
【０１６３】
そして、この第２の変形例のポインティングデバイス４０４は、本体部４０１からの制御信号を受信して、これに応じてＬＥＤ４０４５や振動体４０４６の駆動を制御することができるものである。
【０１６４】
［本体部４０１とポインティングデバイス４０４の連携について］
そして、この例の通信端末２Ｂは図１４に示した構成を有するものである。したがって、通信端末２Ｂにおいては、通信の相手先である通信端末１Ｂから通信端末１Ｂの使用者の脈拍データが送信されてきた場合に、本体部４０１の制御部４１００は、キーＩ／Ｆ４０１５を通じて、自機に装着されているポインティングデバイス４０４に対して、受信した脈拍データを送信する。
【０１６５】
通信端末２Ｂの本体部４０１に装着されたポインティングデバイス４０４においては、接続Ｉ／Ｆ４０４１を通じて、本体部４０１からの脈拍データを受信し、これを制御部４２００に供給する。制御部４２００は、受信した脈拍データに基づいて、ＬＥＤドライブ４０４５Ｂ、振動体ドライブ４０４６Ｂを制御し、ＬＥＤ４０４５Ａ、振動体４０４６Ａを駆動させる。これにより、ＬＥＤ４０４５Ａを受信した脈拍データに応じた周期で点滅させたり、振動体４０４６Ａを受信した脈拍データに応じた周期で振動させたりすることができるようにされる。
【０１６６】
同様に、通信端末１Ｂもまた、通信の相手先である通信端末２Ｂから通信端末２Ｂの使用者の脈拍データが送信されてきた場合に、通信端末１Ｂの制御部４１００は、キーＩ／Ｆを通じて、自機に装着されているポインティングデバイス４０４に対して、脈拍データを送信する。
【０１６７】
通信端末１Ｂの本体部４０１に装着されたポインティングデバイス４０４においては、接続Ｉ／Ｆ４０４１を通じて、通信端末２Ｂからの脈拍データを受信し、これを制御部４２００に供給する。制御部４２００は、受信した脈拍データに基づいて、ＬＥＤドライブ４０４５Ｂ、振動体ドライブ４０４６Ｂを制御し、ＬＥＤ４０４５Ａ、振動体４０４６Ａを駆動させる。これにより、ＬＥＤ４０４５Ａを受信した脈拍データに応じた周期で点滅させたり、振動体４０４６Ａを受信した脈拍データに応じた周期で振動させたりすることができるようにされる。
【０１６８】
そして、この第１の実施の形態の第２の変形例において、図１４に示した構成の携帯電話端末１Ａ、２Ａが、それぞれに図１５に示した構成のポインティングデバイス４０４を備えて通信システムを形成した場合の当該通信システムの動作は、図３〜図５を用いて説明した処理と同様の処理が行われる。
【０１６９】
具体的には、図３に示したステップＳ８の処理において、通信端末２Ｂは、上述したように、自機の本体部４０１に接続されているポインティングデバイス４０４のＬＥＤ４０４５Ａ、振動体４０４６Ａを駆動制御することになる。また、図５に示したステップＳ１６の処理において、通信端末１Ｂは、上述したように、自機の本体部４０１に接続されているポインティングデバイス４０４のＬＥＤ４０４５Ａ、振動体４０４６Ａを駆動制御することになる。
【０１７０】
このように、据え置き型の通信端末を用いるようにした場合においても、この発明を適用することができる。
【０１７１】
［第２の実施の形態］
［通信システムの構成例について］
上述した第１の実施の形態においては、携帯電話端末や据え置き型の通信端末の使用者の脈拍を計測し、これを通信の相手先に送信して、再生することができるようにした。以下に説明する第２の実施の形態においては、通信端末の使用者が、通信端末の操作部に対して行う操作の強弱を示す情報（操作に応じた状態を示す情報）を通信の相手先に送信し、当該相手先においては、これを再生することができるようにするものである。以下においては、携帯電話端末を用いて実現する場合を例にして説明するが、据え置き型の通信端末を用いても実現可能なものである。
【０１７２】
図１６は、この第２の実施の形態の携帯電話端末の概要を説明するための図である。図１６Ａは、使用者からの強弱のある操作入力を受け付ける操作部や相手先からの操作の強弱を示す情報に基づいて形状を変化させるようにするアクチュエータを、携帯電話端末に設けるようにした場合を説明するための図である。
【０１７３】
また、図１６Ｂは、使用者からの強弱のある操作入力を受け付ける操作部や相手先からの操作の強弱を示す情報に基づいて形状を変化させるようにするアクチュエータを、携帯電話端末の外部の携帯ストラップ型操作部５に設けるようにした場合を説明するための図である。
【０１７４】
図１６Ａに示した例の携帯電話端末１Ｃは、携帯電話端末１Ｃの筐体に、内部に空圧センサ１５４が設けられた袋状操作部１５４Ａと、自己の形状を例えば電圧制御により変化させることができるように構成された形状アクチュエータ１５５とが設けられたものである。
【０１７５】
袋状操作部１５４Ａは、内部に空圧センサ１５４が設けられると共に、空気が充填されたものである。そして、袋状操作部１５４Ａ自体は、若干の弾力を有する素材が用いられて形成され、内部の空気を外部に漏らすことがないように形成されたものである。袋状操作部１５４Ａの素材としては、例えば、化学繊維、ゴム、強化ビニールなど、内包する空気を漏らすことなく、若干の弾力を有し、ある程度の強い力を加えた場合にも容易に破れることのない強度を有する種々の素材を用いることが可能である。
【０１７６】
そして、当該袋状操作部１５４Ａは、使用者によって押下操作されることにより、袋状操作部１５４Ａの内部の容積が小さくなる。上述したように、袋状操作部１５４Ａ内部の空気は外部に漏れることがないようにされている。このため、袋状操作部１５４Ａの内部においては、空気圧が変化したり、温度が変化したりする。空圧センサ１５４は、このような変化を検出して、携帯電話端末１Ｃの制御部に通知する。
【０１７７】
なお、空圧センサ１５４は、継続的に行われる使用者の操作入力を継続的に検出することができるものである。すなわち、袋状操作部１５４Ａに対して、かけられる力が徐々に大きくなったり、小さくなったりするような場合にも、空圧センサ１５４は、所定の間隔で継続して、空気圧や温度の変化を計測し、その結果を出力することができるものである。すなわち、袋状操作部１５４Ａおよび空圧センサ１５４は、使用者により行われる変化をつけられる操作入力に応じた情報を検出することができるものである。
【０１７８】
また、形状アクチュエータ１５５は、例えば、高分子アクチュエータや形状記憶合金アクチュエータなどである。この形状アクチュエータ１５５は、通信の相手先からの袋状操作部１５４Ａに対する操作入力に応じた検出出力に基づいて、例えば駆動電圧が制御され、膨らんだり縮んだりすることにより、形状を変化させるものである。
【０１７９】
これにより、袋状操作部１５４Ａに加えられた使用者からの操作入力に応じた情報（操作強弱データ）を空圧センサ１５４が検出して、これを通信の相手先に送信することができるようにされる。また、通信の相手先からの操作入力に応じた情報（操作強弱データ）を受信して、これに応じた形状アクチュエータ１５５を制御し、その形状を変化させるようにすることができるようにされる。
【０１８０】
また、図１６Ｂに示した携帯電話端末１Ｄには、袋状に形成された携帯ストラップ型操作部５が装着されている。この袋状に形成された携帯ストラップ型操作部５の内部には、後述もするが、空圧センサ５０４が設けられると共に、使用者が観視可能な位置に、形状アクチュエータ５０３が設けられたものである。
【０１８１】
すなわち、袋状に形成された携帯ストラップ型操作部５は、図１６Ａに示した携帯電話端末１Ｃの袋状操作部１５４Ａの場合と同様に、内部に空圧センサ５０４が設けられたものである。また、携帯ストラップ型操作部５には、図１６Ａに示した携帯電話端末１Ｃの形状アクチュエータ１５５と同様の形状アクチュエータ５０３が設けられたものである。
【０１８２】
そして、図１６Ｂに示した携帯電話端末１Ｄと、携帯ストラップ型操作部５とは、図１１、図１２を用いて説明した場合と同様にして、近距離無線通信により相互に情報の送受を行うことができるようにされている。
【０１８３】
これにより、携帯電話端末１Ｄと携帯ストラップ型操作部５とが協働することにより、携帯ストラップ型操作部５に加えられた使用者からの操作入力に応じた情報（操作強弱データ）を空圧センサ５０４が検出して、これを通信の相手先に送信することができるようにされる。また、通信の相手先からの操作入力に応じた情報（操作強弱データ）を受信して、これに応じて携帯ストラップ型操作部５の形状アクチュエータ５０３を制御し、その形状を変化させるようにすることができるようにされる。
【０１８４】
［第２の実施の形態で用いられる機器の構成について］
次に、この第２の実施の形態において用いられる携帯電話端末１Ｃ、１Ｄの構成と、携帯ストラップ型操作部５の構成とについて説明する。
【０１８５】
［携帯電話端末１Ｃの構成について］
図１７は、この第２の実施の形態の携帯電話端末１Ｃの構成を説明するためのブロック図である。図１７に示すように、この第２の実施の形態の携帯電話端末１Ｃは、脈拍センサ１５１に代えて、空圧センサ１５４を備えた袋状操作部１５４Ａと、形状アクチュエータ１５５とを設けた点を除けば、その他の部分は図２に示した携帯電話端末１、２と同様に構成されるものである。
【０１８６】
このため、説明の重複を避けるため、図１７に示すこの第２の実施の形態の携帯電話端末１Ｃにおいて、図２に示した第１の実施の形態の携帯電話端末１、２と同様に構成される部分には同じ参照符号を付し、その部分の詳細な説明については省略する。
【０１８７】
そして、図１７に示す携帯電話端末１Ｃにおいて、空圧センサ１５４を有し、空気を内包する袋状操作部１５４Ａは、上述もしたように、使用者の操作入力（押圧操作入力）を受け付ける。そして、空圧センサ１５４は、袋状操作部１５４Ａが押圧されることにより変化する袋状操作部１５４Ａ内の空気圧変化、あるいは、温度変化を検出し、これを制御部１２０に通知する。なお、この例の空圧センサ１５４は、空気圧変化、あるいは、温度変化を検出してから、それらの変化が所定値以下に収束するまで、継続してそれらの変化を検出し、その変化に応じた値（操作強弱データ）を制御部に通知することができるものである。
【０１８８】
また、形状アクチュエータ１５５は、上述もしたように、高分子アクチュエータや形状記憶合金アクチュエータなどにより構成され、制御部１２０の制御に応じて、その形状を変化させることができるものである。そして、この第２の実施の形態の場合には、通信の相手先から送信されてくる操作強弱データに基づいて、制御部１２０が形状アクチュエータ１５５に供給する駆動電圧を制御することにより、その形状を変化させることができるものである。
【０１８９】
そして、図１７に示した構成を有する携帯電話端末１Ｃ、２Ｃとの間に通信回線を接続し、当該通信回線を通じて袋状操作部１５４Ａに対する使用者の押圧操作に応じた操作強弱データを送受することにより、これに応じて、相互の形状アクチュエータ１５５を制御し、形状アクチュエータ１５５の形状変化により、操作強弱データを再生することができるようにされる。
【０１９０】
［携帯電話端末１Ｄの構成について］
図１８は、この第２の実施の形態の携帯電話端末１Ｄの構成を説明するためのブロック図である。図１８に示すように、この第２の実施の形態の携帯電話端末１Ｄは、脈拍センサ１５１に代えて、近距離無線部１５２、近距離無線通信用のアンテナ１５３を備える点を除けば、その他の部分は図２に示した携帯電話端末１、２と同様に構成されるものである。
【０１９１】
このため、説明の重複を避けるため、図１８に示すこの第２の実施の形態の携帯電話端末１Ｄにおいて、図２に示した第１の実施の形態の携帯電話端末１、２と同様に構成される部分には同じ参照符号を付し、その部分の詳細な説明については省略する。
【０１９２】
そして、図１８に示す第２の実施の形態の携帯電話端末１Ｄにおいて、近距離無線部１５２、近距離無線通信用のアンテナ１５３は、自機に装着される携帯ストラップ型操作部５との間での近距離無線通信を行うためのものである。近距離無線部１５２、近距離無線通信用のアンテナ１５３は、例えば、Ｂｌｕｅｔｏｏｔｈなど、種々の近距離無線通信技術が用いられたものである。
【０１９３】
そして、近距離無線部１５２は、制御部１２０の制御に応じて、自機から送信すべき情報を含む信号を変調するなどの処理を行うことにより近距離無線通信により送信すべき送信信号を形成し、これをアンテナ１５３を通じて送信することができるものである。また、近距離無線部１５２は、アンテナ１５３を通じて受信する受信信号を復調するなどの処理を行って、制御部１２０において処理可能な形式の信号を形成し、これを制御部１２０に供給することができるものである。
【０１９４】
［携帯ストラップ型操作部５の構成について］
図１９は、この第２の実施の形態の携帯ストラップ型操作部５の構成を説明するためのブロック図である。図１９に示すように、この例の携帯ストラップ型操作部５は、近距離無線通信用のアンテナ５０１、近距離無線部５０２、形状アクチュエータ５０３、空圧センサ５０４を有する袋状操作部５０４Ａ、制御部５１０を備えたものである。
【０１９５】
制御部３１０は、当該携帯ストラップ型操作部５の各部を制御するものであり、図１９に示すように、ＣＰＵ５１１、ＲＯＭ５１２、ＲＡＭ５１３がＣＰＵバス５１４を通じて接続されて形成されたマイクロコンピュータである。
【０１９６】
ここで、ＣＰＵ５１１は、後述するＲＯＭ５１２に記憶保持されているプログラムを実行し、各部に供給する制御信号を形成して各部に供給したり、各部からの種々のデータの提供を受けてこれを処理したりするなど、携帯ストラップ型操作部５における制御の主体となるものである。また、ＲＯＭ５１２は、上述もしたように、ＣＰＵ５１１によって実行されるプログラムや処理に必要なデータを記憶保持するものである。また、ＲＡＭ５１３は、種々の処理の途中結果を一時記憶するなど、主に作業領域として用いられるものである。
【０１９７】
そして、アンテナ５０１、近距離無線部５０２は、図１８を用いて上述した携帯電話端末１Ｄのアンテナ１５３、近距離無線部１５２と同様に、自機が装着された携帯電話端末との間において、近距離無線通信により通信を行うようにするものである。
【０１９８】
具体的には、近距離無線部５０２は、アンテナ５０１を通じて自機宛の送信信号を受信し、これを復調するなどの処理を行って、制御部５１０において処理可能な信号（受信信号）を形成し、これを制御部５１０に供給することができるものである。また、近距離無線部５０２は、制御部５１０の制御に応じて、自機から送信すべき情報を含む信号を変調するなどの処理を行うことにより近距離無線通信により送信すべき送信信号を形成し、これをアンテナ５０１を通じて送信することができるものである。
【０１９９】
また、形状アクチュエータ５０３は、図１７を用いて説明した携帯電話端末１Ｃの形状アクチュエータ１５５と同様に、高分子アクチュエータや形状記憶合金アクチュエータなどにより構成され、制御部５１０の制御に応じて、その形状を変化させることができるものである。
【０２００】
また、空圧センサ５０４は、図１７を用いて説明した携帯電話端末１Ｃの空圧センサ５１４と同様に、袋状に形成され、空気を内包する携帯ストラップ型操作部５の内部に設けられたものである。そして、空圧センサ５０４は、袋状の携帯ストラップ型操作部５が押圧されることにより変化する袋状の携帯ストラップ型操作部５内の空気圧変化、あるいは、温度変化を検出し、これを制御部５１０に通知することができるものである。なお、この例の空圧センサ５０４もまた、空気圧変化、あるいは、温度変化を検出してから、それらの変化が所定値以下に収束するまで、継続してそれらの変化を検出し、その変化に応じた値（操作強弱データ）を制御部に通知することができるものである。
【０２０１】
そして、図１８に示した構成を有する携帯電話端末１Ｄと、これに装着された携帯ストラップ型操作部５とからなる通信端末間に通信回線を接続し、当該通信回線を通じて携帯ストラップ型操作部５に対する使用者の押圧操作に応じた操作強弱データを送受することにより、これに応じて、相互の携帯ストラップ型操作部５の形状アクチュエータ５０３を制御し、形状アクチュエータ５０４の形状変化により、操作強弱データを再生することができるようにされる。
【０２０２】
［携帯電話端末１Ｃ、２Ｃの連携について］
次に、図１７に示した構成を有する携帯電話端末１Ｃ、２Ｃ間においての通信処理について説明する。図２０は、携帯電話端末１Ｃ、２Ｃ間においての通信処理の概要を説明するためのシーケンス図である。この第２の実施の形態においても、携帯電話端末１Ｃが送り手側であり、携帯電話端末２Ｃが受け手側である場合を例にして説明する。
【０２０３】
携帯電話端末１の制御部１２０は、キー操作部１３２を通じて使用者からのダイヤル入力や電話帳データからの相手先の選択入力などを受け付けると、目的とする通信の相手先（この例においては携帯電話端末２Ｃ）に対する着信要求を形成し、ベースバンド処理部１０４、送信部１０８、アンテナ共用器１０２、送受信アンテナ１０１を通じて携帯電話端末２に対して送信する（ステップＳ２１）。
【０２０４】
受け手側の携帯電話端末２Ｃの制御部１２０は、送受信アンテナ１０１、アンテナ共用器１０２、受信部１０３、ベースバンド処理部１０４を通じて携帯電話端末１からの着信要求を受信すると、自機のリンガ１４２やバイブレータ１４３を駆動して、着信音や振動により着信があることを携帯電話端末２Ｃの使用者に通知する。そして、携帯電話端末２の制御部１２０は、着信に応答するためのオフフック操作を受け付けると、着信応答を形成し、これを発信元の携帯電話端末１に対して送信する（ステップＳ２２）。
【０２０５】
これにより、携帯電話端末１Ｃと携帯電話端末２Ｃとの間に通信回線が接続され、通話ができるようにされる（ステップＳ２３）。すなわち、上述もしたように、双方の携帯電話端末の送受信アンテナ１０１、アンテナ共用器１０２、受信部１０３、ベースバンド処理部１０４、コーデック１０５、受話器１０６、送話器１０７、送信部１０８を通じて、携帯電話端末１Ｃと携帯電話端末２Ｃとの間において、通話を行うことができるようにされる。
【０２０６】
このようにして、通話を行うことができるようにされた後に、携帯電話端末１Ｃの制御部１２０は、袋状操作部１５４Ａを通じての使用者による操作入力を受け付けて、当該袋状操作部１５４Ａ内の空圧センサ１５４からの検出出力（操作強弱データ）を得るようにする（ステップＳ２４）。そして、空圧センサ１５４からの検出出力を得た場合には、その検出出力を受け手側の携帯電話端末２Ｃに送信する（ステップＳ２５）。この第２の実施の形態においては、空圧の変化の開始から収束までの情報が、時間の経過に応じて送信するようにされる。
【０２０７】
受け手側の携帯電話端末２Ｃにおいては、接続された通信回線を通じて送信されてくる携帯電話端末１Ｃからの空圧センサ１５４の検出値を受信し、制御部１２０が、受信した空圧センサ１５４の検出値に基づいて、形状アクチュエータ１５５を駆動させる（ステップＳ２６）。
【０２０８】
そして、携帯電話端末２Ｃにおいても、当該携帯電話端末２Ｃの制御部１２０は、袋状操作部１５４Ａを通じての使用者による操作入力を受け付けて、当該袋状操作部１５４Ａ内の空圧センサ１５４からの検出出力（操作強弱データ）を得るようにする（ステップＳ２７）。そして、空圧センサ１５４からの検出出力を得た場合には、その検出出力を送り手側の携帯電話端末１Ｃに送信する（ステップＳ２８）。この場合にも、空圧の変化の開始から収束までの情報が、時間の経過に応じて送信するようにされる。
【０２０９】
送り手側の携帯電話端末１Ｃにおいては、接続された通信回線を通じて送信されてくる携帯電話端末２Ｃからの空圧センサ１５４の検出値を受信し、制御部１２０が、受信した空圧センサ１５４の検出値に基づいて、形状アクチュエータ１５５を駆動させる（ステップＳ２９）。
【０２１０】
このようにすることにより、送り手側の携帯電話端末１Ｃの使用者の操作に応じた状態を受け手側の携帯電話端末２Ｃに送信し、これを携帯電話端末２Ｃの形状アクチュエータ１５５の形状の変化により再生することができるようにされる。また、受け手側の携帯電話端末２Ｃの使用者の操作に応じた状態を送り手側の携帯電話端末１Ｃに送信することにより、これを携帯電話端末１Ｃの形状アクチュエータ１５５の形状の変化により再生することができるようにされる。
【０２１１】
また、図２０に示したステップＳ２９の処理の後、再度、ステップＳ２４からの処理を繰り消すようにすることによって、繰り返し、携帯電話端末１Ｃ、２Ｃの使用者の操作に応じた状態を示す情報を送受し、受信した使用者の操作に応じた状態を示す情報を、形状アクチュエータの形状変化により再生することができるようにされる。
【０２１２】
なお、ここでは、図１７を用いて説明した構成を有する携帯電話端末１Ｃ、２Ｃ間で通信回線を接続して通信を行う場合を例にして説明した。しかし、これに限るものではない。図１９を用いて説明した携帯ストラップ型操作部５が装着された図１８に示した構成を有する携帯電話端末１Ｄ、２Ｄ間においても、図２０を用いて説明した処理を行うことが可能である。
【０２１３】
しかし、この場合には、空圧センサ５０４と、形状アクチュエータ５０３とが設けられているのは、携帯ストラップ型操作部５である。このため、自機に装着された携帯ストラップ型操作部５からの空圧センサ５０４からの検出出力は、携帯ストラップ型操作部５から近距離無線通信により送信されるものを携帯電話端末が受信して、通信の相手先に送信することになる。
【０２１４】
また、受信した通信の相手先からの空圧センサの検出出力は、携帯電話端末からこれに接続された携帯ストラップ型操作部５に近距離無線通信により送信し、形状アクチュエータの制御に用いられるようにされる。
【０２１５】
このように、この第２の実施の形態においては、使用者の操作に応じた状態を示す情報（空圧センサの検出出力）を送受し、当該状態を示す情報を形状アクチュエータの形状変化として再生し、使用者に提示することができる。
【０２１６】
［第３の実施の形態］
［通信システムの構成例について］
この第３の実施の形態の通信システムもまた、上述した第１、第２の通信システムの場合と同様に、使用者の状態を示す情報を送受することができるものである。しかし、この第３の実施の形態の通信システムにおいては、送り手側の通信端末と、受け手側の通信端末とでは、それぞれが使用者の状態を示す情報として異なる情報を送信するものである。
【０２１７】
この第３の実施の形態の場合にも、携帯電話端末を用いて実現する場合を例にして説明するが、据え置き型の通信端末を用いても実現可能なものである。また、上述した第１、第２の実施の形態の携帯電話端末と同様に構成される部分には同じ参照符号を付し、その部分の詳細な説明については省略する。
【０２１８】
図２１は、この第３の実施の形態の携帯電話端末の概要を説明するための図である。図２１Ａは、使用者の脈拍を検出する脈拍センサ１５１と、使用者からの強弱のある操作入力を受け付けるための空圧センサを備えた袋状操作部１５４Ａと、内蔵振動体としてのバイブレータとを携帯電話端末に設けるようにした場合を説明するための図である。
【０２１９】
また、図２１Ｂは、使用者の脈拍を検出する脈拍センサ１５１は携帯電話端末が備えるが、使用者からの強弱のある操作入力を受け付けるための空圧センサを備えた袋状操作部と振動体とを携帯ストラップ型操作部６に設けるようにした場合を説明するための図である。
【０２２０】
図２１Ａに示した例の携帯電話端末１Ｅは、携帯電話端末１Ｅの筐体に、図１に示した携帯電話端末１の場合と同様に使用者の脈拍を検出するための脈拍センサ１５１を備えると共に、図１６Ａに示した携帯電話端末１Ｃの場合と同様に内部に空圧センサ１５４が設けられた袋状操作部１５４Ａが設けられたものである。また、携帯電話端末１Ｅの内部には、上述した第１、第２の実施の形態の携帯電話端末と同様にバイブレータ１４１を備えたものである。
【０２２１】
そして、図２１Ａに示した構成の送り手側の携帯電話端末１Ｅと、図２１Ａに示した構成の受け手側の携帯電話端末２Ｅとの間に通信回線を接続し、通話を行うようにしている場合に、送り手側の携帯電話端末１Ｅは、使用者の脈拍を検出し、この脈拍を示す脈拍データを携帯電話端末２Ｅに送信する。
【０２２２】
受け手側の携帯電話端末２Ｅは、送り手側の携帯電話端末１Ｅからの脈拍データを受信し、これに応じて内蔵するバイブレータ１４３を振動させ、脈拍データをバイブレータの振動として再生する。さらに、受け手側の携帯電話端末２Ｅにおいては、袋状操作部１５４Ａを通じて、使用者からの押下操作を受け付け、これに応じて変化する袋状操作部１５４Ａ内の空気圧あるいは温度の変化を空圧センサ１５４が検出し、この検出出力を操作強弱データとして、送り手側の携帯電話端末１Ｅに送信する。
【０２２３】
送り手側の携帯電話端末１Ｅにおいては、受け手側の携帯電話端末２Ｅからの操作強弱データに応じて、バイブレータ１４３を制御して振動させる。これにより、携帯電話端末１Ｅにおいては、バイブレータ１４３の振動により、携帯電話端末２Ｅからの操作強弱データをさせすることができるようにされる。
【０２２４】
これにより、送り手側の携帯電話端末１Ｅからは、使用者の脈拍データを受け手側の携帯電話端末２Ｅに送信して、当該携帯電話端末２Ｅにおいて再生し、また、受け手側の携帯電話端末２Ｅからは、使用者の操作入力に応じた操作強弱データを送り手側の携帯電話端末１Ｅに送信して、当該携帯電話端末１Ｅにおいて再生することができるようにされる。すなわち、送り手側の携帯電話端末１Ｅと、受け手側の携帯電話端末２Ｅとの間において、使用者の状態を示す情報として、脈拍データと操作強弱データという異なる情報を送受し合って、相互の使用者の状態を通知することができるようにされる。
【０２２５】
また、図２１Ｂに示した携帯電話端末１Ｆは、自機に脈拍センサ１５１を備えると共に、袋状に形成された携帯ストラップ型操作部６が装着されている。この袋状に形成された携帯ストラップ型操作部６の内部には、振動体６０３、空圧センサ５０４が設けられ、また、当該携帯ストラップ型操作部６の使用者が観視可能な位置には、ＬＥＤ６０５が設けられている。
【０２２６】
そして、図２１Ｂに示した携帯電話端末１Ｆと、携帯ストラップ型操作部６とは、図１１、図１２を用いて説明した場合と同様にして、近距離無線通信により相互に情報の送受を行うことができるようにされている。
【０２２７】
そして、図２１Ｂに示したように携帯ストラップ型操作部６が装着された送り手側の携帯電話端末１Ｆと、図２１Ｂに示したように携帯ストラップ型操作部６が装着された受け手側の携帯電話端末１Ｆとの間に通信回線を接続し、通話を行うようにしている場合に、送り手側の携帯電話端末１Ｆは、使用者の脈拍を検出し、この脈拍を示す脈拍データを携帯電話端末２Ｆに送信する。
【０２２８】
受け手側の携帯電話端末２Ｆは、送り手側の携帯電話端末１Ｆからの脈拍データを受信し、これに応じて自機に装着された携帯ストラップ型操作部６に脈拍データを送信して、当該脈拍データに応じて携帯ストラップ型操作部６内の振動体６０３を振動させ、脈拍データを振動体６０３の振動として再生する。さらに、受け手側の携帯電話端末２Ｆ側においては、袋状に形成された携帯ストラップ型操作部６を通じて、使用者からの押下操作を受け付け、これに応じて変化する携帯ストラップ型操作部内の空気圧あるいは温度の変化を空圧センサ５０４が検出し、この検出出力を操作強弱データとして、携帯電話端末２Ｆに送信する。携帯電話端末２Ｆは、携帯ストラップ型操作部６からの操作強弱データを受信して、これを送り手側の携帯電話端末１Ｆに送信する。
【０２２９】
送り手側の携帯電話端末１Ｆにおいては、受け手側の携帯電話端末２Ｅからの操作強弱データを、自機に装着されている携帯ストラップ型操作部６に送信し、当該操作強弱データに応じて携帯ストラップ型操作部６内の振動体６０３を振動させ、操作強弱データを振動体６０３の振動として再生する。
【０２３０】
これにより、図２１Ａに示した携帯電話端末１Ｅ、２Ｅを用いた場合と同様に、送り手側の携帯電話端末１Ｆからは、使用者の脈拍データを受け手側の携帯電話端末２Ｆに送信して、当該携帯電話端末２Ｆにおいて再生し、また、受け手側の携帯電話端末２Ｆからは、使用者の操作入力に応じた操作強弱データを送り手側の携帯電話端末１Ｆに送信して、当該携帯電話端末１Ｆにおいて再生することができるようにされる。すなわち、送り手側の携帯電話端末１Ｆと、受け手側の携帯電話端末２Ｆとの間において、使用者の状態を示す情報として、脈拍データと操作強弱データという異なる情報を送受し合って、相互の使用者の状態を通知することができるようにされる。
【０２３１】
なお、この第３の実施の形態において、携帯ストラップ型操作部６は、ＬＥＤ６０５をも備えており、携帯電話端末からの脈拍データや操作強弱データに応じて、ＬＥＤの点灯消灯を制御することもできる。
【０２３２】
［第３の実施の形態で用いられる機器の構成について］
次に、この第３の実施の形態において用いられる携帯電話端末１Ｅ、１Ｆの構成と、携帯ストラップ型操作部６の構成とについて説明する。
【０２３３】
［携帯電話端末１Ｅの構成について］
図２２は、この第３の実施の形態の携帯電話端末１Ｅの構成を説明するためのブロック図である。図２２に示すように、この第３の実施の形態の携帯電話端末１Ｅは、空圧センサ１５４を備えた袋状操作部１５４Ａを設けた点を除けば、図２に示した携帯電話端末１、２と同様に構成されるものである。
【０２３４】
このため、説明の重複を避けるため、図２２に示すこの第３の実施の形態の携帯電話端末１Ｅにおいて、図２に示した第１の実施の形態の携帯電話端末１、２と同様に構成される部分には同じ参照符号を付し、その部分の詳細な説明については省略する。
【０２３５】
そして、図２２に示す携帯電話端末１Ｅにおいて、空圧センサ１５４を有し、空気を内包する袋状操作部１５４Ａは、上述した第２の実施の形態の図１７に示しや携帯電話端末１Ｃの袋状操作部１５４Ａと同様に構成されたものである。
【０２３６】
すなわち、袋状操作部１５４Ａは、使用者の操作入力（押圧操作入力）を受け付ける。そして、空圧センサ１５４は、袋状操作部１５４Ａが押圧されることにより変化する袋状操作部１５４Ａ内の空気圧変化、あるいは、温度変化を検出し、これを制御部１２０に通知する。なお、この例の空圧センサ１５４は、空気圧変化、あるいは、温度変化を検出してから、それらの変化が所定値以下に収束するまで、継続してそれらの変化を検出し、その変化に応じた値（操作強弱データ）を制御部に通知することができるものである。
【０２３７】
そして、図２２に示した構成を有する携帯電話端末１Ｅ、２Ｅとの間に通信回線を接続し、当該通信回線を通じて袋状操作部１５４Ａに対する使用者の押圧操作に応じた操作強弱データを送受することにより、これに応じて、相互の形状アクチュエータ１５５を制御し、形状アクチュエータ１５５の形状変化により、操作強弱データを再生することができるようにされる。
【０２３８】
［携帯電話端末１Ｆの構成について］
図２３は、この第３の実施の形態の携帯電話端末１Ｆの構成を説明するためのブロック図である。図２３に示すように、この第３の実施の形態の携帯電話端末１Ｆは、近距離無線部１５２、近距離無線通信用のアンテナ１５３を備える点を除けば、図２に示した携帯電話端末１、２と同様に構成されるものである。
【０２３９】
このため、説明の重複を避けるため、図２３に示すこの第３の実施の形態の携帯電話端末１Ｆにおいて、図２に示した第１の実施の形態の携帯電話端末１、２と同様に構成される部分には同じ参照符号を付し、その部分の詳細な説明については省略する。
【０２４０】
そして、図２３に示す第３の実施の形態の携帯電話端末１Ｆにおいて、近距離無線部１５２、近距離無線通信用のアンテナ１５３は、自機に装着される携帯ストラップ型操作部６との間での近距離無線通信を行うためのものであり、図１８に示した第２の実施の形態の携帯電話端末１Ｄの近距離無線部１５２、近距離無線通信用のアンテナ１５３と同様に構成されるものである。
【０２４１】
そして、近距離無線部１５２は、制御部１２０の制御に応じて、自機から送信すべき情報を含む信号を変調するなどの処理を行うことにより近距離無線通信により送信すべき送信信号を形成し、これをアンテナ１５３を通じて送信することができるものである。また、近距離無線部１５２は、アンテナ１５３を通じて受信する受信信号を復調するなどの処理を行って、制御部１２０において処理可能な形式の信号を形成し、これを制御部１２０に供給することができるものである。
【０２４２】
［携帯ストラップ型操作部６の構成について］
図２４は、この第３の実施の形態の携帯ストラップ型操作部６の構成を説明するためのブロック図である。図２４に示すように、この例の携帯ストラップ型操作部６は、形状アクチュエータ５０３に代えて、振動体６０３、ＬＥＤ６０４を備える点を除けば、図１９を用いて説明した第２の実施の形態の携帯ストラップ型操作部５と同様に構成されるものである。
【０２４３】
このため、説明の重複を避けるため、図２４に示すこの第３の実施の形態の携帯ストラップ型操作部６において、図１９に示した第２の実施の形態の携帯ストラップ型操作部５と同様に構成される部分には同じ参照符号を付し、その部分の詳細な説明については省略する。
【０２４４】
振動体６０３は、上述した各携帯電話端末に搭載されているバイブレータと同様のものであり、制御部５１０の制御に応じて振動を生じさせるものである。また、ＬＥＤ６０４は、図１２に示した第１の実施の形態のストラップ型振動体３に設けられたＬＥＤ３０３と同様に、制御部５１０の制御に応じて、その点灯、消灯をさせることができるものである。
【０２４５】
そして、上述もしたように、袋状に形成された携帯ストラップ型操作部６は、使用者による押圧操作を受け付けて、内部の空圧センサ５０４が、空気圧や温度の変化を検出し、これを自機が装着された携帯電話端末に近距離通信により送信することができるものである。また、自機が装着された携帯電話端末から近距離無線通信により送信されてくる脈拍データを受信し、これに応じて振動体６０３やＬＥＤ６０５の駆動を制御することができるものである。
【０２４６】
［携帯電話端末１Ｅ、２Ｅの連携について］
次に、図２２に示した構成を有する携帯電話端末１Ｅ、２Ｅ間においての通信処理について説明する。この第３の実施の形態において、送り手側の携帯電話端末１Ｅから受け手側の携帯電話端末２Ｅに発呼（発信）して通信回線を接続し、通話を行えるようにすると共に、脈拍データを送受する処理は、図３を用いて説明した第１の実施の形態の携帯電話端末１と携帯電話端末２との間で行われる処理と同様に行われる。
【０２４７】
そして、受け手側の携帯電話端末２Ｅから送り手側の携帯電話端末１Ｅに対して使用者の状態を示す情報を送信する処理が第１の実施の形態の場合とは異なることになる。図２５は、この第３の実施の形態において、図３に示したシーケンス図に従った処理を行った後に行う、受け手側の携帯電話端末２Ｅから送り手側の携帯電話端末１Ｅに対して使用者の状態を示す情報を送信する処理を説明するためのシーケンス図である。
【０２４８】
送り手側の携帯電話端末１Ｅと受け手側の携帯電話端末２Ｅとの間で脈拍データの送受を行い、携帯電話端末２Ｅにおいて、受信した脈拍データに基づいて、バイブレータ１４３を振動させるようにした後において、図２５に示すシーケンス図に従った処理が行われる。
【０２４９】
すなわち、受け手側の携帯電話端末２Ｅの制御部１２０は、袋状操作部１５４Ａを通じての使用者による操作入力を受け付けて、当該袋状操作部１５４Ａ内の空圧センサ１５４からの検出出力（操作強弱データ）を得るようにする（ステップＳ３１）。そして、空圧センサ１５４からの検出出力を得た場合には、その検出出力を送り手側の携帯電話端末１Ｅに送信する（ステップＳ３２）。
【０２５０】
送り手側の携帯電話端末１Ｅにおいては、接続された通信回線を通じて送信されてくる携帯電話端末２Ｅからの空圧センサ１５４の検出値を受信し、制御部１２０が、受信した空圧センサ１５４の検出値に基づいて、バイブレータ１４３を駆動させる（ステップＳ３３）。
【０２５１】
この後、携帯電話端末１Ｅまたは携帯電話端末２Ｅのいずれかが、回線切断操作（オンフック操作）を行った場合に、図３に示したステップＳ４において接続するようにした通信回線を切断（通信回線を解放）し、一連の処理を終了させる（ステップＳ３４）。
【０２５２】
このようにすることにより、送り手側の携帯電話端末１Ｅの使用者の操作に応じた状態を受け手側の携帯電話端末２Ｅに送信し、これを携帯電話端末２Ｅのバイブレータ１４３の発生させる振動により再生することができるようにされる。また、受け手側の携帯電話端末２Ｅの使用者の操作に応じた状態を送り手側の携帯電話端末１Ｅに送信することにより、これを携帯電話端末１Ｅのバイブレータ１４３の発生させる振動により再生することができるようにされる。
【０２５３】
なお、この第３の実施の形態においては、送り手側の携帯電話端末１Ｅから受け手側の携帯電話端末２に脈拍データを送信し、受け手側の携帯電話端末２Ｅから送り手側の携帯電話端末１Ｅには操作強弱データを送信するものとして説明した。しかし、これに限るものではない。受け手側の携帯電話端末２Ｅから送り手側の携帯電話端末１Ｅに使用者の脈拍データを送信し、送り手側の携帯電話端末１Ｅから受けて側の携帯電話端末２Ｅに操作強弱データを送信するようにすることもできる。
【０２５４】
なお、ここでは、図２２を用いて説明した構成を有する携帯電話端末１Ｅ、２Ｅ間で通信回線を接続して通信を行う場合を例にして説明した。しかし、これに限るものではない。図２４を用いて説明した携帯ストラップ型操作部６が装着された図２３に示した構成を有する携帯電話端末１Ｆ、２Ｆ間においても、図３及び図２５を用いて説明した処理を行うことが可能である。
【０２５５】
しかし、この場合には、空圧センサ５０４と、振動体６０３とが設けられているのは、携帯ストラップ型操作部６である。このため、通信の相手先から受信した通信の相手先からの脈拍データは、当該携帯電話端末からこれに接続された携帯ストラップ型操作部６に近距離無線通信により送信され、振動体の制御に用いられることになる。また、自機に装着された携帯ストラップ型操作部６からの空圧センサ５０４からの検出出力は、携帯ストラップ型操作部６から近距離無線通信により送信されるものを携帯電話端末が受信して、通信の相手先に送信することになる。
【０２５６】
［第４の実施の形態］
上述した第１から第３実施の形態の通信システムにおいては、通信端末間において、通話（リアルタイムな通信）を行うようにした場合に、通信端末の使用者の状態を示す情報を送受するようにした。しかし、この第４の実施の形態においては、リアルタイム通信を行うものではない。通信端末間にサーバ装置を介し、通信端末は、適宜のタイミングで当該サーバ装置に使用者の状態を示す情報を含む情報をアップロードすることができるものである。また、通信端末は、適宜のタイミングで当該サーバ装置から通信の相手先の使用者の状態を示す情報をダウンロードすることができるものである。
【０２５７】
そして、この第４の実施の形態の通信システムにおいては、上述した第１から第３の実施の形態で説明した通信端末１、１Ａ、１Ｂ、１Ｃ、１Ｄ、１Ｅ、１Ｆの各構成の通信端末を用いることができる。そして、異なる点は、以下に説明するように、通信端末間の通信において、サーバ装置を介して行う点にある。以下においては、説明を簡単にするため、第１の実施の形態で説明した構成を有する携帯電話端末１と携帯電話端末２との間で電子メール通信を行う場合を例にして説明する。
【０２５８】
なお、この第４の実施の形態においても、携帯電話端末１が電子メールを最初に送信する送り手側の携帯電話端末であり、携帯電話端末２が最初に自機宛の電子メールを受信する受け手側の携帯電話端末であるものとして説明する。
【０２５９】
［通信システムの構成例について］
図２６は、この第４の実施の形態の通信システムの構成例を説明するための図である。この第４の実施の形態の通信システムにおいては、インターネットなどの広域ネットワーク８には、メールサーバ装置７が接続するようにされている。ここでは、説明を簡単にするため、メールサーバ装置８は、携帯電話端末１の使用者と、携帯電話端末２の使用者緒が共に利用しているメールサーバ装置であるものとする。
【０２６０】
そして、送り手側の携帯電話端末１の使用者は、受け手側の携帯電話端末２の使用者に対して送信すべき電子メールを作成した場合、当該電子メールデータとその時点において、携帯電話端末１に搭載されている脈拍センサ１５１によって計測した脈拍データとを携帯電話端末２のメールボックスを有するメールサーバ装置７にアップロードする。すなわち、この処理が、通常、電子メールを作成して、目的とする相手先に送信する処理である。
【０２６１】
一方、受け手側の携帯電話端末２は、適宜のタイミングで自己のメールボックスのあるメールサーバ装置７にアクセスし、自機宛の電子メールデータをダウンロードする。このとき、脈拍データが存在する場合には、その脈拍データも一緒にダウンロードする。この処理が、通常、自機宛の電子メールデータを受信する処理である。
【０２６２】
そして、受け手側の携帯電話端末２においては、制御部１２０がＬＣＤ１４１を制御して、受信した電子メールデータを自機のＬＣＤ１４１に表示して読むことができるようにする。また、制御部１２０は、受信した脈拍データに基づいて、バイブレータ１４３を制御し、脈拍データに応じた振動を発生させるようにする。これにより、受け手側の携帯電話端末２において、送り手側からの脈拍データを適宜のタイミングでダウンロードして再生することができるようにされる。
【０２６３】
この後、受け手側の携帯電話端末２においては、送り手側の携帯電話端末１に対する応答メッセージを形成し、これを送り手側の携帯電話端末１のメールボックスの存在するメールサーバ装置７に送信する。そして、送り手側の携帯電話端末１は、適宜のタイミングでメールサーバ装置７にアクセスし、受け手側の携帯電話端末２からの応答メッセージを受信し、これを再生することにより、受け手側の携帯電話端末２が自機から脈拍データを受信して利用したことを把握することができるようにされる。
【０２６４】
なお、ここでは説明を簡単にするために、送り手側の携帯電話端末１と受け手側の携帯電話端末２とが同じメールサーバ装置７を利用している場合を例にして説明したが、これに限るものではない。送り手側の携帯電話端末１が利用するメールサーバ装置と、受け手側の携帯電話端末２が利用するメールサーバ装置が異なる場合ももちろんある。しかし、このように異なるメールサーバ装置を用いる場合であっても、電子メールの送り先が異なるだけで、電子メールデータや脈拍データ、あるいは、応答メッセージの送受は、上述したように行われる。
【０２６５】
［サーバ装置を介して行う携帯電話端末１、２間の通信について］
次に、図２６を用いて説明したように、メールサーバ装置７を介して行われる携帯電話端末１と携帯電話端末２との間の通信処理について、図２７、図２８のシーケンス図を参照しながら説明する。図２７、図２８は、この第４の実施の形態の通信システムの動作の概要を説明するためのシーケンス図である。
【０２６６】
まず、送り手側の携帯電話端末１においては、送信する電子メールを作成するために、使用者が携帯電話端末１を手にとり、脈拍センサ１５１に指などを接触させるようにすると、脈拍センサ１５１は、使用者の脈拍を測定する処理を開始する（ステップＳ４１）。
【０２６７】
次に、携帯電話端末１においては、制御部１２０が、キー操作部１３２を通じて、送信先電子メールアドレスやメール本文などの受け手側の携帯電話端末２に対して送信する電子メールデータ等の入力を受け付ける（ステップＳ４２）。
【０２６８】
そして、携帯電話端末１の制御部１２０は、ステップＳ４２において受け付けた電子メール本文などの情報と、ステップＳ４１において計測を行うようにした使用者の脈拍データとを含む送信電子メールデータを形成し（ステップＳ４３）、これを送信するようにする（ステップＳ４４）。
【０２６９】
携帯電話端末１から送信された携帯電話端末２への電子メールデータは、携帯電話端末２のメールボックスを有するメールサーバ装置７に受信され、これが携帯電話端末２の使用者用のメールボックスに格納される（ステップＳ４５）。
【０２７０】
そして、受け手側の携帯電話端末２は、適宜のタイミングで行うようにされる使用者からの自機宛の電子メールデータを受信するようにするための操作入力を受け付けると、メールサーバ装置７にアクセスし、自機宛の電子メールデータの提供要求を送信する（ステップＳ４６）。
【０２７１】
これに応じて、メールサーバ装置７においては、提供要求を送信してきた携帯電話端末２のメールボックスから電子メールデータを読み出し、これを要求元の携帯電話端末２に送信する（ステップＳ４７）。この電子メールデータは、上述もしたように、送り手側の携帯電話端末１からのものであり、脈拍データを含むものである。
【０２７２】
そして、図２８に示す処理に進み、受け手側の携帯電話端末２においては、制御部１２０により、受信した自機宛の電子メールデータから電子メール本文と脈拍データとを分離する（ステップＳ４８）。この後、携帯電話端末２の制御部１２０は、電子メール本文をＬＣＤ１４２に表示し（ステップＳ４９）、受信した脈拍データに基づいてバイブレータ１４３を制御して振動させる（ステップＳ５０）。このステップＳ５０においては、脈拍データが示す周期で、バイブレータ１４３が振動するようにされる。
【０２７３】
この後、受け手側の携帯電話端末２の制御部１２０は、脈拍データを受信して使用したことを示す携帯電話端末１宛の応答メッセージを生成し（ステップＳ５１）、これを送り手側の携帯電話端末１のメールボックスを有するメールサーバ装置７に送信する（ステップＳ５２）。ここで、応答メッセージは、例えば、携帯電話端末１からの電子メールを受信し、脈拍データを利用したことを示すテキストデータからなるものであり、自動生成されるものである。もちろん、携帯電話端末２の使用者からの操作入力を受け付けた場合に、応答メッセージを形成して送信するようにすることもできる。
【０２７４】
メールサーバ装置７は、携帯電話端末１宛の応答メッセージを受信すると、携帯電話端末１の使用者用のメールボックスに格納する（ステップＳ５３）。
【０２７５】
そして、送り手側の携帯電話端末１は、適宜のタイミングで行うようにされる使用者からの自機宛の電子メールデータを受信するようにするための操作入力を受け付けると、メールサーバ装置７にアクセスし、自機宛の電子メールデータの提供要求を送信する（ステップＳ５４）。
【０２７６】
これに応じて、メールサーバ装置７においては、提供要求を送信してきた携帯電話端末１のメールボックスから電子メールデータ（携帯電話端末２からの応答メッセージ）を読み出し、これを要求元の携帯電話端末１に送信する（ステップＳ５５）。この携帯電話端末２からの応答メッセージにより、送り手側の携帯電話端末１の使用者は、携帯電話端末１から送信した脈拍データが携帯電話端末２において受信され利用されたことを把握することができる。
【０２７７】
なお、ここでは、送り手側の携帯電話端末１から脈拍データを送信し、受け手側の携帯電話端末２から応答メッセージを送信するものとして説明したが、これに限るものではない。例えば、携帯電話端末１と携帯電話端末２との間において、相互に脈拍データの送受を行うようにすることももちろん可能である。
【０２７８】
また、上述もしたように、この第４の実施の形態の通信システムの場合には、第２、第３の実施の形態で用いた通信端末を用いるようにすることも可能ある。したがって、第２の実施の形態の場合と同様に、使用者の操作入力に応じた操作強弱データを、使用者の状態を示す情報として送受し、それぞれの通信端末側の形状アクチュエータを駆動させるようにすることも可能である。
【０２７９】
また、第３の実施の形態の場合と同様に、脈拍データと使用者の操作入力に応じた操作強弱データとを送受し、各通信端末側に設けられる振動体や形状アクチュエータを駆動させるようにすることもできる。
【０２８０】
また、ここでは、電子メールデータを送受する場合を例にして説明したが、これに限るものではない。例えば、ホームページを開設し、このホームページに脈拍データや操作強弱データをアップロードするようにしておき、不特定多数の携帯電話端末の使用者が、自機の携帯電話端末を通じて当該ホームページにアクセスし、脈拍データや操作強弱データをダウンロードしてこれを再生するようにすることもできる。
【０２８１】
このように、上述した第１〜第４の実施の形態の通信システムにおいては、送り手側の通信機器の使用者の状態を示す情報を、受け手側の通信端末に送信して、当該受け手側の通信機器において再生することができる。これにより、受け手側の通信機器の使用者が、送り手側の通信機器の使用者の状態を把握することができる。
【０２８２】
また、受け手側の通信機器から、送り手側の通信機器に対して、送り手側の使用者の状態を示す情報を受信して利用したことを示す応答を返信することもできるので、送り手側の使用者は、自機からの情報が相手先において受信されて利用されたかを心配する必要がなく、確認のために、送信した情報を再度送信したり、メッセージを送信したりするなどのことも必要ないようにされる。
【０２８３】
また、受け手側の通信機器から、受け手側の使用者の状態を示す情報を送り手側の通信機器に返信することにより、送り手側の使用者の状態を示す情報を受信して再生した受け手側の通信機器の使用者が、どのような反応をしているのかを送り手側の通信機器の使用者に対して通知するようにすることもできるようにされる。すなわち、送り手側の通信機器の使用者が、受け手側の通信機器の反応を確認するようにすることもできる。
【０２８４】
なお、上述した第１〜第４の実施の形態の各通信機器において、バイブレータや振動体は、偏心ＤＣ（直流）モータタイプのものやリニヤモータ型のものなどを用いるようにすることができる。
【図面の簡単な説明】
【０２８５】
【図１】この発明によるシステムの一実施の形態が適用された、第１の実施の形態の通信システムの構成例を説明するための図である。
【図２】第１の実施の形態の携帯電話端末１、２の構成例を説明するためのブロック図である。
【図３】第１の実施の形態の通信システムの動作の概要を説明するためのシーケンス図である。
【図４】図３に続くシーケンス図である。
【図５】図３に続く他の例のシーケンス図である。
【図６】第１の実施の形態において、送り手側の携帯電話端末１の動作について説明するためのフローチャートである。
【図７】図６に続くフローチャートである。
【図８】第１の実施の形態において、受け手側の携帯電話端末２の動作について説明するためのフローチャートである。
【図９】図８に続くフローチャートである。
【図１０】受信した脈拍データに基づいて制御可能なバイブレータなどを備えた携帯ストラップ型振動体を用いる場合について説明するための図である。
【図１１】第１の変形例において用いられる携帯電話端末１Ａ、２Ａの構成を説明するためのブロック図である。
【図１２】第１の変形例の携帯ストラップ型振動体３の構成を説明するためのブロック図である。
【図１３】第１の実施の形態の第２の変形例の通信システムについて説明するための図である。
【図１４】第１の実施の形態の第２の変形例において用いられる通信端末１Ｂ、２Ｂの構成を説明するためのブロック図である。
【図１５】第１の実施の形態の第２の変形例のポインティングデバイス４０４の構成を説明するためのブロック図である。
【図１６】第２の実施の形態の携帯電話端末の概要を説明するための図である。
【図１７】第２の実施の形態の携帯電話端末１Ｃの構成を説明するためのブロック図である。
【図１８】第２の実施の形態の携帯電話端末１Ｄの構成を説明するためのブロック図である。
【図１９】第２の実施の形態の携帯ストラップ型操作部５の構成を説明するためのブロック図である。
【図２０】第２の実施の形態の携帯電話端末１Ｃ、２Ｃ間においての通信処理の概要を説明するためのシーケンス図である。
【図２１】第３の実施の形態の携帯電話端末の概要を説明するための図である。
【図２２】第３の実施の形態の携帯電話端末１Ｅの構成を説明するためのブロック図である。
【図２３】第３の実施の形態の携帯電話端末１Ｆの構成を説明するためのブロック図である。
【図２４】第３の実施の形態の携帯ストラップ型操作部６の構成を説明するためのブロック図である。
【図２５】第３の実施の形態において、図３に示したシーケンス図に従った処理を行った後に行う処理を説明するためのシーケンス図である。
【図２６】第４の実施の形態の通信システムの構成例を説明するための図である。
【図２７】第４の実施の形態の通信システムの動作の概要を説明するためのシーケンス図である。
【図２８】図２７に続くシーケンス図である。
【符号の説明】
【０２８６】
１、１Ａ、１Ｃ、１Ｄ、１Ｅ、１Ｆ…携帯電話端末、２、２Ａ、２Ｃ、２Ｄ、２Ｅ、２Ｆ…携帯電話端末、１０１…送受信アンテナ、１０２…アンテナ共用器、１０３…受信部、１０４…ベースバンド処理部、１０５…コーデック、１０６…受話器（スピーカ）、１０７…送話器（マイクロホン）、１０８…送信部、１０９…局発部、１２０…制御部、１２１…ＣＰＵ、１２２…ＲＯＭ、１２３…ＲＡＭ、１２４…ＥＥＰＲＯＭ、１２５…ＣＰＵバス、１３１…キーＩ／Ｆ、１３２…キー操作部、１４１…ＬＣＤ、１４２…リンガ、１４３…バイブレータ、１５１…脈拍センサ、１５２…近距離無線部、１５３…近距離無線通信用のアンテナ、１５４…空圧センサ、１５４Ａ…袋状操作部、１５５…形状アクチュエータ、３…携帯ストラップ型振動体、３０１…近距離無線通信用のアンテナ、３０２…近距離無線部、３０３…ＬＥＤ、３０４…振動体、３１０…制御部、３１１…ＣＰＵ、３１２…ＲＯＭ、３１３…ＲＡＭ、３１４…ＣＰＵバス、１Ｂ、２Ｂ…据え置き型通信端末、４０１…本体部、４０２…表示装置部、４０３…キーボード、４０４…ポインティングデバイス、４０５…受話器、４０６…送話器、４０４１…接続インターフェース、４０４２…移動検出部、４０４３…操作部、４０４４…脈拍センサ、４０４５…ＬＥＤ、４０４６…振動体、４２００…制御部、５、６…携帯ストラップ型操作部、５０１…近距離無線通信用のアンテナ、５０２…近距離無線部、５０３…形状アクチュエータ、５０４…空圧センサ、５０４Ａ…袋状操作部、５１０…制御部、６０４…振動体、６０５…ＬＥＤ
【図１】
0004613974.tif 000002
【図２】
0004613974.tif 000003
【図３】
0004613974.tif 000004
【図４】
0004613974.tif 000005
【図５】
0004613974.tif 000006
【図６】
0004613974.tif 000007
【図７】
0004613974.tif 000008
【図８】
0004613974.tif 000009
【図９】
0004613974.tif 000010
【図１０】
0004613974.tif 000011
【図１１】
0004613974.tif 000012
【図１２】
0004613974.tif 000013
【図１３】
0004613974.tif 000014
【図１４】
0004613974.tif 000015
【図１５】
0004613974.tif 000016
【図１６】
0004613974.tif 000017
【図１７】
0004613974.tif 000018
【図１８】
0004613974.tif 000019
【図１９】
0004613974.tif 000020
【図２０】
0004613974.tif 000021
【図２１】
0004613974.tif 000022
【図２２】
0004613974.tif 000023
【図２３】
0004613974.tif 000024
【図２４】
0004613974.tif 000025
【図２５】
0004613974.tif 000026
【図２６】
0004613974.tif 000027
【図２７】
0004613974.tif 000028
【図２８】
0004613974.tif 000029